(57)【要約】  ワイヤレス通信のための方法、装置、基地局、ユーザ機器、およびコンピュータプログラム製品が提供される。基地局は、異なるユーザ機器グループおよび/またはアンテナポート構成に対応する1つまたは複数のリソースパターンに少なくとも部分的に基づいて、ウェイクアップシグナリングのためのリソース割振りを構成し得る。ユーザ機器は、リソース割振りに少なくとも部分的に基づいてウェイクアップ信号を受信し、ウェイクアップ信号のプリアンブルに少なくとも部分的に基づいてウェイクアップ信号を検出し、ウェイクアップ信号に少なくとも部分的に基づいて後続の通信を受信し得る。多数の他の態様が提供される。
2020535720.tif 000002
【特許請求の範囲】
【請求項１】
基地局によって実行されるワイヤレス通信の方法であって、
ウェイクアップ信号を、
第1のアンテナポートを使用する前記ウェイクアップ信号の送信に対応する第1のリソースパターンの1つまたは複数の第1のリソース、あるいは、
第2のアンテナポートを使用する前記ウェイクアップ信号の送信に対応する第2のリソースパターンの1つまたは複数の第2のリソース
のうちの1つから選択されたリソースを使用して送信するステップと、
前記ウェイクアップ信号に少なくとも部分的に基づいて通信をユーザ機器(UE)に送信するステップと
を備える方法。
【請求項２】
前記1つまたは複数の第1のリソースがサブフレームの第1のセットの中にあり、
前記1つまたは複数の第2のリソースがサブフレームの第2のセットの中にある、請求項1に記載の方法。
【請求項３】
前記1つまたは複数の第1のリソースあるいは前記1つまたは複数の第2のリソースのうちのリソースが、時間領域または周波数領域のうちの少なくとも1つにおいて変化する、請求項1に記載の方法。
【請求項４】
前記1つまたは複数の第1のリソースおよび前記1つまたは複数の第2のリソースが、アンカーキャリアに含まれる、請求項1に記載の方法。
【請求項５】
前記1つまたは複数の第1のリソースおよび前記1つまたは複数の第2のリソースが、非アンカーキャリアに含まれる、請求項1に記載の方法。
【請求項６】
前記1つまたは複数の第1のリソースおよび前記1つまたは複数の第2のリソースが、前記通信と同じ狭帯域に含まれる、請求項1に記載の方法。
【請求項７】
前記1つまたは複数の第1のリソースおよび前記1つまたは複数の第2のリソースが、物理ブロードキャストチャネル、1次同期信号、または2次同期信号を搬送しないリソースを含む、請求項1に記載の方法。
【請求項８】
前記1つまたは複数の第1のリソースおよび前記1つまたは複数の第2のリソースが、周波数領域における物理リソースブロックを含む、請求項1に記載の方法。
【請求項９】
前記1つまたは複数の第1のリソースおよび前記1つまたは複数の第2のリソースの周波数オフセットが、前記UEに示される、請求項1に記載の方法。
【請求項１０】
前記ウェイクアップ信号のプリアンブルが、UEグループを識別する、請求項1に記載の方法。
【請求項１１】
前記ウェイクアップ信号のプリアンブルが、セルを識別する、請求項1に記載の方法。
【請求項１２】
前記ウェイクアップ信号が、同期を実行するために使用される、請求項1に記載の方法。
【請求項１３】
前記ウェイクアップ信号の送信電力が、同期信号または基準信号に対する電力オフセットに少なくとも部分的に基づいて構成される、請求項1に記載の方法。
【請求項１４】
前記通信が、前記ウェイクアップ信号と前記通信との間の遅延またはギャップの後に送信され、前記遅延またはギャップが、UE能力に少なくとも部分的に基づいて構成される、請求項1に記載の方法。
【請求項１５】
前記UE能力が、前記UEの受信機タイプまたは前記UEの処理時間のうちの少なくとも1つに関し、前記処理時間が、前記UEによって事前定義されるかまたは報告される、請求項14に記載の方法。
【請求項１６】
前記ウェイクアップ信号の最大持続時間に対するリソースの数が、前記通信の反復の最大数に少なくとも部分的に基づいて選択される、請求項1に記載の方法。
【請求項１７】
前記ウェイクアップ信号の実際の持続時間に対するリソースの数が、前記通信の反復の実数に少なくとも部分的に基づいて選択される、請求項1に記載の方法。
【請求項１８】
前記リソースが、前記ウェイクアップ信号の送信用の開始サブフレームであり、前記開始サブフレームが、
前記通信の開始サブフレーム、
前記ウェイクアップ信号の最大持続時間、および
前記通信と前記ウェイクアップ信号の前記最大持続時間の終わりとの間のギャップ
に少なくとも部分的に基づいて決定される、請求項1に記載の方法。
【請求項１９】
ユーザ機器(UE)によって実行されるワイヤレス通信の方法であって、
前記UEに関連付けられたウェイクアップ信号を識別するためにリソースパターンの特定のリソースを走査するステップと、
前記リソースパターンの前記特定のリソース上で基地局から前記ウェイクアップ信号を受信するステップであって、前記リソースパターンが、前記ウェイクアップ信号が送信されたアンテナポートに対応する、ステップと、
前記UEに関連付けられたセル識別子に少なくとも部分的に基づいて、前記ウェイクアップ信号を前記UEに関連付けられたものとして識別するステップであって、前記セル識別子の少なくとも一部分が、前記ウェイクアップ信号によって示される、ステップと
を備える方法。
【請求項２０】
前記リソースパターンが、同じアンテナポートが前記ウェイクアップ信号の送信に使用されるサブフレームのセットを含む、請求項19に記載の方法。
【請求項２１】
前記特定のリソースが、物理ブロードキャストチャネル、1次同期信号、または2次同期信号を搬送しないリソースである、請求項19に記載の方法。
【請求項２２】
前記ウェイクアップ信号が、UEグループ識別子に少なくとも部分的に基づいてさらに識別され、前記UEグループ識別子の少なくとも一部分が、前記ウェイクアップ信号によって示される、請求項19に記載の方法。
【請求項２３】
前記ウェイクアップ信号が、同期を実行するために使用される、請求項19に記載の方法。
【請求項２４】
前記ウェイクアップ信号を識別したことに少なくとも部分的に基づいて、通信を受信するためにスリープ状態からウェイクアップさせるステップと、
前記通信を受信するステップと
をさらに備える、請求項19に記載の方法。
【請求項２５】
前記通信が、前記ウェイクアップ信号と前記通信との間の遅延またはギャップの後に受信され、前記遅延またはギャップが、UE能力に少なくとも部分的に基づいて構成される、請求項24に記載の方法。
【請求項２６】
前記UE能力を識別する情報を、前記通信を送信する基地局に送信するステップをさらに備える、請求項25に記載の方法。
【請求項２７】
前記UE能力が、前記UEの受信機タイプまたは前記UEの処理時間のうちの少なくとも1つに関し、前記処理時間が、前記UEによって事前定義されるかまたは報告される、請求項25に記載の方法。
【請求項２８】
前記特定のリソースの最大持続時間が、前記UEのためにスケジュールされた通信に関連付けられた反復の最大数に少なくとも部分的に基づく、請求項19に記載の方法。
【請求項２９】
前記特定のリソースの実際の持続時間が、前記UEのためにスケジュールされた通信に関連付けられた反復の実数に少なくとも部分的に基づく、請求項19に記載の方法。
【請求項３０】
前記特定のリソースが、前記ウェイクアップ信号の受信用の開始サブフレームであり、前記開始サブフレームが、
通信の開始サブフレーム、
前記ウェイクアップ信号の最大持続時間、および
前記通信と前記ウェイクアップ信号の前記最大持続時間の終わりとの間のギャップ
に少なくとも部分的に基づいて決定される、請求項19に記載の方法。
【請求項３１】
前記特定のリソースが、前記ウェイクアップ信号に関して前記UEによって走査される複数のリソースのうちの1つであり、前記複数のリソースが、前記UEによって受信されるべき通信に関連付けられた反復の最大数または反復の実数のうちの少なくとも1つに少なくとも部分的に基づいて決定される、請求項19に記載の方法。
【請求項３２】
ワイヤレス通信のための基地局であって、
メモリと、
前記メモリに動作可能に結合された1つまたは複数のプロセッサと
を備え、前記メモリおよび前記1つまたは複数のプロセッサが、
ウェイクアップ信号を、
第1のアンテナポートを使用する前記ウェイクアップ信号の送信に対応する第1のリソースパターンの1つまたは複数の第1のリソース、あるいは、
第2のアンテナポートを使用する前記ウェイクアップ信号の送信に対応する第2のリソースパターンの1つまたは複数の第2のリソース
のうちの1つから選択されたリソースを使用して送信し、
前記ウェイクアップ信号に少なくとも部分的に基づいて通信をユーザ機器(UE)に送信する
ように構成される、基地局。
【請求項３３】
前記1つまたは複数の第1のリソースがサブフレームの第1のセットの中にあり、
前記1つまたは複数の第2のリソースがサブフレームの第2のセットの中にある、請求項32に記載の基地局。
【請求項３４】
前記1つまたは複数の第1のリソースあるいは前記1つまたは複数の第2のリソースのうちのリソースが、時間領域または周波数領域のうちの少なくとも1つにおいて変化する、請求項32に記載の基地局。
【請求項３５】
前記1つまたは複数の第1のリソースおよび前記1つまたは複数の第2のリソースが、アンカーキャリアに含まれる、請求項32に記載の基地局。
【請求項３６】
前記1つまたは複数の第1のリソースおよび前記1つまたは複数の第2のリソースが、非アンカーキャリアに含まれる、請求項32に記載の基地局。
【請求項３７】
ワイヤレス通信のためのユーザ機器(UE)であって、
メモリと、
前記メモリに動作可能に結合された1つまたは複数のプロセッサと
を備え、前記メモリおよび前記1つまたは複数のプロセッサが、
前記UEに関連付けられたウェイクアップ信号を識別するためにリソースパターンの特定のリソースを走査することと、
前記リソースパターンの前記特定のリソース上で基地局から前記ウェイクアップ信号を受信することであって、前記リソースパターンが、前記ウェイクアップ信号が送信されたアンテナポートに対応する、受信することと、
前記UEに関連付けられたセル識別子に少なくとも部分的に基づいて、前記ウェイクアップ信号を前記UEに関連付けられたものとして識別することであって、前記セル識別子の少なくとも一部分が、前記ウェイクアップ信号によって示される、識別することと
を行うように構成される、ユーザ機器(UE)。
【請求項３８】
前記リソースパターンが、同じアンテナポートが前記ウェイクアップ信号の送信に使用されるサブフレームのセットを含む、請求項37に記載のUE。
【請求項３９】
前記特定のリソースが、物理ブロードキャストチャネル、1次同期信号、または2次同期信号を搬送しないリソースである、請求項37に記載のUE。
【請求項４０】
前記ウェイクアップ信号が、UEグループ識別子に少なくとも部分的に基づいてさらに識別され、前記UEグループ識別子の少なくとも一部分が、前記ウェイクアップ信号によって示される、請求項37に記載のUE。
【発明の詳細な説明】
【技術分野】
【０００１】
米国特許法第119条に基づく関連出願の相互参照
本出願は、参照により本明細書に明確に組み込まれる、2017年9月29日に出願された「TECHNIQUES AND APPARATUSES FOR WAKEUP SIGNAL DESIGN AND RESOURCE ALLOCATION」と題する米国仮特許出願第62/565,767号、および2018年7月10日に出願された「TECHNIQUES AND APPARATUSES FOR WAKEUP SIGNAL DESIGN AND RESOURCE ALLOCATION」と題する米国非仮特許出願第16/031,671号の優先権を主張する。
【０００２】
本開示の態様は、一般に、ワイヤレス通信に関し、より詳細には、ウェイクアップ信号設計およびリソース割振りのための技法および装置に関する。
【背景技術】
【０００３】
ワイヤレス通信システムは、テレフォニー、ビデオ、データ、メッセージング、およびブロードキャストなどの様々な電気通信サービスを提供するために広く展開されている。典型的なワイヤレス通信システムは、利用可能なシステムリソース(たとえば、帯域幅、送信電力など)を共有することによって複数のユーザとの通信をサポートすることが可能な多元接続技術を採用することがある。そのような多元接続技術の例は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、時分割同期符号分割多元接続(TD-SCDMA)システム、およびロングタームエボリューション(LTE)を含む。LTE/LTEアドバンストは、第3世代パートナーシッププロジェクト(3GPP)によって公表されたユニバーサルモバイルテレコミュニケーションズシステム(UMTS)モバイル規格に対する拡張のセットである。
【０００４】
ワイヤレス通信ネットワークは、いくつかのユーザ機器(UE)のための通信をサポートすることができるいくつかの基地局(BS)を含み得る。UEは、ダウンリンクおよびアップリンクを介して基地局(BS)と通信し得る。ダウンリンク(または順方向リンク)は、BSからUEへの通信リンクを指し、アップリンク(または逆方向リンク)は、UEからBSへの通信リンクを指す。本明細書でより詳細に説明するように、BSは、ノードB、gNB、アクセスポイント(AP)、無線ヘッド、送信受信ポイント(TRP)、5G BS、5GノードBなどと呼ばれることがある。
【０００５】
上記の多元接続技術は、異なるワイヤレス通信デバイスが都市、国家、地域、さらには地球規模で通信することを可能にする共通プロトコルを提供するために、様々な電気通信規格において採用されている。ニューラジオ(NR)と呼ばれることもある5Gは、第3世代パートナーシッププロジェクト(3GPP)によって公表されたLTEモバイル規格に対する拡張のセットである。5Gは、スペクトル効率を改善することと、コストを下げることと、サービスを改善することと、新しいスペクトルを利用することと、ダウンリンク(DL)上でサイクリックプレフィックス(CP)を有する直交周波数分割多重化(OFDM)(CP-OFDM)を使用し、アップリンク(UL)上でCP-OFDMおよび/またはSC-FDM(たとえば、離散フーリエ変換拡散OFDM(DFT-s-OFDM)としても知られている)を使用し、ならびにビームフォーミング、多入力多出力(MIMO)アンテナ技術、およびキャリアアグリゲーションをサポートする他のオープン規格とより良く統合することとによって、モバイルブロードバンドインターネットアクセスをより良くサポートするように設計されている。しかしながら、モバイルブロードバンドアクセスに対する需要が増加し続けるにつれて、LTE技術および5G技術におけるさらなる改善が必要である。好ましくは、これらの改善は、他の多元接続技術、およびこれらの技術を採用する電気通信規格に適用可能であるべきである。
【０００６】
BSは、UEが後続の通信(たとえば、ダウンリンクチャネル)を復号すべきかどうかを示すために、信号をUEに送信し得る。限られた指示情報を搬送するシーケンスであり得る信号は、より多くの情報を搬送する後続の通信が行われ得る機会に関連付けられる。UEは、UEが信号を受信しない限り、後続の通信を走査しなくてもよいので、このことはUEのバッテリー効率を改善し得る。たとえば、そのような信号はウェイクアップ信号と呼ばれることがある。
【発明の概要】
【課題を解決するための手段】
【０００７】
場合によっては、ウェイクアップ信号は複数のUEに適用され得る。UEを2つ以上のUEグループに割り当てることによって、単一のウェイクアップ信号を使用してUEグループのすべてのUEをアウェイクさせることができる。これは、ウェイクアップ信号を単一のUEに送信することよりも効率的である場合があり、後続の通信のために(あるUEのグループのみではなく)すべてのUEをウェイクアップすることよりも効率的である場合がある。異なるUEグループに宛てられたウェイクアップ信号のダイバーシティ(たとえば、周波数ダイバーシティ、時間ダイバーシティ、および/または空間ダイバーシティ)を実現することが有益であり得る。
【０００８】
本明細書で説明するいくつかの技法および装置は、2つ以上のUEグループに関連付けられたそれぞれのリソースパターンに従ってウェイクアップ信号を送信することによって、2つ以上のUEグループに宛てられたウェイクアップ信号の周波数ダイバーシティ、時間ダイバーシティ、および/または空間ダイバーシティを実現するために、リソース割振りを提供する。加えて、本明細書で説明するいくつかの技法および装置は、2つ以上のアンテナポート、アンテナ、またはプリコーディングセットに関連付けられたそれぞれのリソースパターンに従って2つ以上のアンテナポート、単一のポートの2つ以上のアンテナ、またはプリコーディングサイクルの2つ以上のプリコーディングセットを使用してウェイクアップ信号を送信することによって、単一のUEグループのためのウェイクアップ信号の空間ダイバーシティを実現するために、リソース割振りを提供する。本明細書で説明する技法および装置は、アンカーキャリア(たとえば、ブロードキャストチャネル、システム情報ブロック、および/または同期信号を含むキャリア)にまたは非アンカーキャリアに適用され得る。
【０００９】
さらに、本明細書で説明するいくつかの技法および装置は、UEの能力に少なくとも部分的に基づき得る、UEのためにスケジュールされた、ウェイクアップ信号の送信とその他の信号(たとえば、物理ダウンリンク制御チャネル、物理ダウンリンク共有チャネルなど)の送信との間の構成された遅延に関連付けられたウェイクアップ信号の送信を提供する。またさらに、本明細書で説明するいくつかの技法および装置は、反復の多い通信を復号することができないUEがアウェイクしないように、反復の多い通信に関するウェイクアップ信号のためのリソース割振りを提供する。このようにして、ウェイクアップ信号のリソース割振りが改善され、ウェイクアップシグナリングに関してUEおよびUEグループの効率が改善され、ウェイクアップシグナリングのダイバーシティが改善される。
【００１０】
特に、本明細書で説明する技法および装置について2つのUEグループに関して説明することがあるが、本明細書で説明する技法および装置は2つのUEグループのためのリソース割振りに限定されない。たとえば、本明細書で説明するいくつかの技法および装置は、3つのUEグループ、4つのUEグループ、5つのUEグループ、または任意の数のUEグループに適用され得る。
【００１１】
本開示の一態様では、基地局によって実行される方法、ユーザ機器によって実行される方法、装置、基地局、ユーザ機器、およびコンピュータプログラム製品が提供される。
【００１２】
いくつかの態様では、基地局によって実行される方法は、第1のリソースパターンの1つまたは複数の第1のリソースあるいは第2のリソースパターンの1つまたは複数の第2のリソースのうちの1つから選択されたリソースを使用してウェイクアップ信号を送信するステップであって、リソースが、ウェイクアップ信号が第1のUEグループに関連付けられたユーザ機器(UE)のためのものかまたは第2のUEグループに関連付けられたUEのためのものかに少なくとも部分的に基づいて1つまたは複数の第1のリソースあるいは1つまたは複数の第2のリソースから選択される、ステップ、および/または、ウェイクアップ信号に少なくとも部分的に基づいて通信をUEに送信するステップを含み得る。
【００１３】
いくつかの態様では、基地局は、メモリと、メモリに結合された少なくとも1つのプロセッサとを含み得る。少なくとも1つのプロセッサは、第1のリソースパターンの1つまたは複数の第1のリソースあるいは第2のリソースパターンの1つまたは複数の第2のリソースのうちの1つから選択されたリソースを使用してウェイクアップ信号を送信することであって、リソースが、ウェイクアップ信号が第1のUEグループに関連付けられたUEのためのものかまたは第2のUEグループに関連付けられたUEのためのものかに少なくとも部分的に基づいて1つまたは複数の第1のリソースあるいは1つまたは複数の第2のリソースから選択される、送信すること、および/または、ウェイクアップ信号に少なくとも部分的に基づいて通信をUEに送信することを行うように構成され得る。
【００１４】
いくつかの態様では、装置は、第1のリソースパターンの1つまたは複数の第1のリソースあるいは第2のリソースパターンの1つまたは複数の第2のリソースのうちの1つから選択されたリソースを使用してウェイクアップ信号を送信するための手段であって、リソースが、ウェイクアップ信号が第1のUEグループに関連付けられたUEのためのものかまたは第2のUEグループに関連付けられたUEのためのものかに少なくとも部分的に基づいて1つまたは複数の第1のリソースあるいは1つまたは複数の第2のリソースから選択される、手段、および/または、ウェイクアップ信号に少なくとも部分的に基づいて通信をUEに送信するための手段を含み得る。
【００１５】
いくつかの態様では、コンピュータプログラム製品は、コンピュータ実行可能コードを記憶する非一時的コンピュータ可読媒体を含み得る。コードは、第1のリソースパターンの1つまたは複数の第1のリソースあるいは第2のリソースパターンの1つまたは複数の第2のリソースのうちの1つから選択されたリソースを使用してウェイクアップ信号を送信するためのコードであって、リソースが、ウェイクアップ信号が第1のUEグループに関連付けられたUEのためのものかまたは第2のUEグループに関連付けられたUEのためのものかに少なくとも部分的に基づいて1つまたは複数の第1のリソースあるいは1つまたは複数の第2のリソースから選択される、コード、および/または、ウェイクアップ信号に少なくとも部分的に基づいて通信をUEに送信するためのコードを含み得る。
【００１６】
いくつかの態様では、ユーザ機器によって実行される方法は、ユーザ機器を含むUEグループに関連付けられたウェイクアップ信号を識別するためにリソースパターンの特定のリソースを走査するステップであって、リソースパターンがUEグループに関連付けられる、ステップ、および/または、ユーザ機器に関連付けられたセル識別子またはUEグループ識別子のうちの少なくとも1つに少なくとも部分的に基づいてウェイクアップ信号を識別するステップであって、少なくともセル識別子の一部分またはUEグループ識別子の一部分が、ウェイクアップ信号によって識別される、ステップを含み得る。
【００１７】
いくつかの態様では、ユーザ機器は、メモリと、メモリに結合された少なくとも1つのプロセッサとを含み得る。少なくとも1つのプロセッサは、ユーザ機器を含むUEグループに関連付けられたウェイクアップ信号を識別するためにリソースパターンの特定のリソースを走査することであって、リソースパターンがUEグループに関連付けられる、走査すること、および/または、ユーザ機器に関連付けられたセル識別子またはUEグループ識別子のうちの少なくとも1つに少なくとも部分的に基づいてウェイクアップ信号を識別することであって、少なくともセル識別子の一部分またはUEグループ識別子の一部分が、ウェイクアップ信号によって識別される、識別することを行うように構成され得る。
【００１８】
いくつかの態様では、装置は、装置を含むUEグループに関連付けられたウェイクアップ信号を識別するためにリソースパターンの特定のリソースを走査するための手段であって、リソースパターンがUEグループに関連付けられる、手段、および/または、装置に関連付けられたセル識別子またはUEグループ識別子のうちの少なくとも1つに少なくとも部分的に基づいてウェイクアップ信号を識別するための手段であって、少なくともセル識別子の一部分またはUEグループ識別子の一部分が、ウェイクアップ信号によって識別される、手段を含み得る。
【００１９】
いくつかの態様では、コンピュータプログラム製品は、コンピュータ実行可能コードを記憶する非一時的コンピュータ可読媒体を含み得る。コードは、UEを含むUEグループに関連付けられたウェイクアップ信号を識別するためにリソースパターンの特定のリソースを走査するためのコードであって、リソースパターンがUEグループに関連付けられる、コード、および/または、UEに関連付けられたセル識別子またはUEグループ識別子のうちの少なくとも1つに少なくとも部分的に基づいてウェイクアップ信号を識別するためのコードであって、少なくともセル識別子の一部分またはUEグループ識別子の一部分が、ウェイクアップ信号によって識別される、コードを含み得る。
【００２０】
いくつかの態様では、基地局によって実行される方法は、ウェイクアップ信号を、第1のアンテナポートを使用するウェイクアップ信号の送信に対応する第1のリソースパターンの1つまたは複数の第1のリソース、あるいは、第2のアンテナポートを使用するウェイクアップ信号の送信に対応する第2のリソースパターンの1つまたは複数の第2のリソースのうちの1つから選択されたリソースを使用して送信するステップと、ウェイクアップ信号に少なくとも部分的に基づいて通信をユーザ機器(UE)に送信するステップとを含み得る。
【００２１】
いくつかの態様では、基地局は、メモリと、メモリに結合された少なくとも1つのプロセッサとを含み得る。少なくとも1つのプロセッサは、ウェイクアップ信号を、第1のアンテナポートを使用するウェイクアップ信号の送信に対応する第1のリソースパターンの1つまたは複数の第1のリソース、あるいは、第2のアンテナポートを使用するウェイクアップ信号の送信に対応する第2のリソースパターンの1つまたは複数の第2のリソースのうちの1つから選択されたリソースを使用して送信し、ウェイクアップ信号に少なくとも部分的に基づいて通信をユーザ機器(UE)に送信するように構成され得る。
【００２２】
いくつかの態様では、装置は、ウェイクアップ信号を、第1のアンテナポートを使用するウェイクアップ信号の送信に対応する第1のリソースパターンの1つまたは複数の第1のリソース、あるいは、第2のアンテナポートを使用するウェイクアップ信号の送信に対応する第2のリソースパターンの1つまたは複数の第2のリソースのうちの1つから選択されたリソースを使用して送信するための手段と、ウェイクアップ信号に少なくとも部分的に基づいて通信をユーザ機器(UE)に送信するための手段とを含み得る。
【００２３】
いくつかの態様では、コンピュータプログラム製品は、コンピュータ実行可能コードを記憶する非一時的コンピュータ可読媒体を含み得る。コードは、ウェイクアップ信号を、第1のアンテナポートを使用するウェイクアップ信号の送信に対応する第1のリソースパターンの1つまたは複数の第1のリソース、あるいは、第2のアンテナポートを使用するウェイクアップ信号の送信に対応する第2のリソースパターンの1つまたは複数の第2のリソースのうちの1つから選択されたリソースを使用して送信するためのコードと、ウェイクアップ信号に少なくとも部分的に基づいて通信をユーザ機器(UE)に送信するためのコードとを含み得る。
【００２４】
いくつかの態様では、ユーザ機器(UE)によって実行される方法は、UEに関連付けられたウェイクアップ信号を識別するためにリソースパターンの特定のリソースを走査するステップと、リソースパターンの特定のリソース上で基地局からウェイクアップ信号を受信するステップであって、リソースパターンが、ウェイクアップ信号が送信されたアンテナポートに対応する、ステップと、UEに関連付けられたセル識別子に少なくとも部分的に基づいて、ウェイクアップ信号をUEに関連付けられたものとして識別するステップであって、セル識別子の少なくとも一部分が、ウェイクアップ信号によって示される、ステップとを含み得る。
【００２５】
いくつかの態様では、ユーザ機器(UE)は、メモリと、メモリに結合された少なくとも1つのプロセッサとを含み得る。少なくとも1つのプロセッサは、UEに関連付けられたウェイクアップ信号を識別するためにリソースパターンの特定のリソースを走査することと、リソースパターンの特定のリソース上で基地局からウェイクアップ信号を受信することであって、リソースパターンが、ウェイクアップ信号が送信されたアンテナポートに対応する、受信することと、UEに関連付けられたセル識別子に少なくとも部分的に基づいて、ウェイクアップ信号をUEに関連付けられたものとして識別することであって、セル識別子の少なくとも一部分が、ウェイクアップ信号によって示される、識別することとを行うように構成され得る。
【００２６】
いくつかの態様では、装置は、装置に関連付けられたウェイクアップ信号を識別するためにリソースパターンの特定のリソースを走査するための手段と、リソースパターンの特定のリソース上で基地局からウェイクアップ信号を受信するための手段であって、リソースパターンが、ウェイクアップ信号が送信されたアンテナポートに対応する、手段と、装置に関連付けられたセル識別子に少なくとも部分的に基づいて、ウェイクアップ信号を装置に関連付けられたものとして識別するための手段であって、セル識別子の少なくとも一部分が、ウェイクアップ信号によって示される、手段とを含み得る。
【００２７】
いくつかの態様では、コンピュータプログラム製品は、コンピュータ実行可能コードを記憶する非一時的コンピュータ可読媒体を含み得る。コードは、UEに関連付けられたウェイクアップ信号を識別するためにリソースパターンの特定のリソースを走査するためのコードと、リソースパターンの特定のリソース上で基地局からウェイクアップ信号を受信するためのコードであって、リソースパターンが、ウェイクアップ信号が送信されたアンテナポートに対応する、コードと、UEに関連付けられたセル識別子に少なくとも部分的に基づいて、ウェイクアップ信号をUEに関連付けられたものとして識別するためのコードであって、セル識別子の少なくとも一部分が、ウェイクアップ信号によって示される、コードとを含み得る。
【００２８】
態様は、一般に、添付の図面および本明細書を参照しながら本明細書で十分に説明され、添付の図面および本明細書によって示されるような、方法、装置、システム、コンピュータプログラム製品、非一時的コンピュータ可読媒体、基地局、ユーザ機器、ワイヤレス通信デバイス、および処理システムを含む。
【００２９】
上記は、以下の詳細な説明がより良く理解され得るように、本開示による例の特徴および技術的利点をかなり広範に概説している。追加の特徴および利点について以下で説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方が、関連する利点とともに、添付の図に関して検討されると以下の説明からより良く理解されよう。図の各々は、例示および説明のために提供され、特許請求の範囲の限定の定義として提供されるものではない。
【図面の簡単な説明】
【００３０】
【図１】ワイヤレス通信ネットワークの一例を示す図である。
【図２】ワイヤレス通信ネットワークにおいてUEと通信している基地局の一例を示す図である。
【図３】ワイヤレス通信ネットワークにおけるフレーム構造の一例を示す図である。
【図４】ノーマルサイクリックプレフィックスを有する2つの例示的なサブフレームフォーマットを示す図である。
【図５Ａ】ウェイクアップ信号送信のための時分割多重(TDM)パターンおよび/またはアンテナポートパターンの一例を示す図である。
【図５Ｂ】ウェイクアップ信号送信のための時分割多重(TDM)パターンおよび/またはアンテナポートパターンの一例を示す図である。
【図５Ｃ】ウェイクアップ信号送信のための時分割多重(TDM)パターンおよび/またはアンテナポートパターンの一例を示す図である。
【図６】ウェイクアップ信号送信のための周波数分割多重(FDM)パターンの一例を示す図である。
【図７】ワイヤレス通信の方法のフローチャートである。
【図８】ワイヤレス通信の方法のフローチャートである。
【図９】ワイヤレス通信の方法のフローチャートである。
【図１０】ワイヤレス通信の方法のフローチャートである。
【図１１】例示的な装置における異なるモジュール/手段/構成要素間のデータフローを示す概念的なデータフロー図である。
【図１２】処理システムを採用する装置のためのハードウェア実装形態の一例を示す図である。
【図１３】例示的な装置における異なるモジュール/手段/構成要素間のデータフローを示す概念的なデータフロー図である。
【図１４】処理システムを採用する装置のためのハードウェア実装形態の一例を示す図である。
【発明を実施するための形態】
【００３１】
添付の図面に関して以下に記載する詳細な説明は、様々な構成について説明するものであり、本明細書で説明する概念が実践され得る構成を表すものではない。詳細な説明は、様々な概念の完全な理解を与えるための具体的な詳細を含む。しかしながら、これらの概念がこれらの具体的な詳細なしに実践され得ることが当業者には明らかであろう。いくつかの事例では、そのような概念を不明瞭にすることを避けるために、よく知られている構造および構成要素はブロック図の形態で示される。
【００３２】
次に、電気通信システムのいくつかの態様が、様々な装置および方法を参照しながら提示される。これらの装置および方法について、以下の詳細な説明において説明し、様々なブロック、モジュール、構成要素、回路、ステップ、プロセス、アルゴリズムなど(「要素」と総称される)によって添付の図面に示す。これらの要素は、電子ハードウェア、コンピュータソフトウェア、またはそれらの任意の組合せを使用して実装され得る。そのような要素がハードウェアとして実装されるか、またはソフトウェアとして実装されるかは、特定の適用例および全体的なシステムに課された設計制約に依存する。
【００３３】
例として、要素、または要素の任意の部分、または要素の任意の組合せは、1つまたは複数のプロセッサを含む「処理システム」を用いて実装され得る。プロセッサの例は、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明する様々な機能を実行するように構成された他の適切なハードウェアを含む。処理システム内の1つまたは複数のプロセッサは、ソフトウェアを実行し得る。ソフトウェアは、ソフトウェア、ファームウェア、ミドルウェア、マイクロコード、ハードウェア記述言語と呼ばれるか、または他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味するように広く解釈されるべきである。
【００３４】
したがって、1つまたは複数の例示的な実施形態では、説明する機能は、ハードウェア、ソフトウェア、ファームウェア、またはそれらの任意の組合せにおいて実装され得る。ソフトウェアにおいて実装される場合、機能は、1つまたは複数の命令またはコードとして、コンピュータ可読媒体上に記憶されるか、または符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ(RAM)、読取り専用メモリ(ROM)、電気的消去可能プログラマブルROM(EEPROM)、コンパクトディスクROM(CD-ROM)もしくは他の光ディスクストレージ、磁気ディスクストレージもしくは他の磁気ストレージデバイス、上述のタイプのコンピュータ可読媒体の組合せ、またはコンピュータによってアクセスされ得る命令もしくはデータ構造の形態のコンピュータ実行可能コードを記憶するために使用され得る任意の他の媒体を含むことができる。
【００３５】
態様について、3Gおよび/または4Gワイヤレス技術に一般的に関連付けられた用語を使用して本明細書で説明する場合があるが、本開示の態様は、5G技術を含む、5G以降などの他の世代ベースの通信システムにおいて適用され得ることに留意されたい。
【００３６】
図1は、本開示の態様が実践され得るネットワーク100を示す図である。ネットワーク100は、LTEネットワーク、または5Gネットワークなどの何らかの他のワイヤレスネットワークであり得る。ワイヤレスネットワーク100は、いくつかのBS110(BS110a、BS110b、BS110c、およびBS110dとして示される)、および他のネットワークエンティティを含み得る。BSは、ユーザ機器(UE)と通信するエンティティであり、基地局、5G BS、ノードB、gNB、5G NB、アクセスポイント、送信受信ポイント(TRP)などと呼ばれることもある。各BSは、特定の地理的エリアに通信カバレージを提供し得る。3GPPでは、「セル」という用語は、この用語が使用される文脈に応じて、BSのカバレージエリア、および/またはこのカバレージエリアをサービスしているBSサブシステムを指すことがある。
【００３７】
BSは、マクロセル、ピコセル、フェムトセル、および/または別のタイプのセルのための通信カバレージを提供し得る。マクロセルは、比較的大きい地理的エリア(たとえば、半径数キロメートル)をカバーすることができ、サービスに加入しているUEによる無制限アクセスを可能にすることができる。ピコセルは、比較的小さい地理的エリアをカバーすることができ、サービスに加入しているUEによる無制限アクセスを可能にすることができる。フェムトセルは、比較的小さい地理的エリア(たとえば、自宅)をカバーすることができ、フェムトセルとの関連付けを有するUE(たとえば、限定加入者グループ(CSG)内のUE)による制限付きアクセスを可能にすることができる。マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示す例では、BS110aはマクロセル102aのためのマクロBSであってもよく、BS110bはピコセル102bのためのピコBSであってもよく、BS110cはフェムトセル102cのためのフェムトBSであってもよい。BSは、1つまたは複数(たとえば、3つ)のセルをサポートし得る。「eNB」、「基地局」、「5G BS」、「gNB」、「TRP」、「AP」、「ノードB」、「5G NB」、および「セル」という用語は、本明細書では互換的に使用され得る。
【００３８】
いくつかの例では、セルは、必ずしも静止しているとは限らないことがあり、セルの地理的エリアは、モバイルBSのロケーションに従って移動することがある。いくつかの例では、BSは、任意の適切なトランスポートネットワークを使用して、直接物理接続、仮想ネットワークなどの様々なタイプのバックホールインターフェースを通じて、アクセスネットワーク100内で互いにおよび/または1つもしくは複数の他のBSもしくはネットワークノード(図示せず)に相互接続され得る。
【００３９】
ワイヤレスネットワーク100はまた、中継局を含み得る。中継局は、上流局(たとえば、BSまたはUE)からデータの送信を受信し、データの送信を下流局(たとえば、UEまたはBS)に送ることができるエンティティである。中継局はまた、他のUEのための送信を中継することができるUEであり得る。図1に示す例では、中継局110dは、BS110aとUE120dとの間の通信を容易にするために、マクロBS110aおよびUE120dと通信し得る。中継局は、中継BS、中継基地局、リレーなどと呼ばれることもある。
【００４０】
ワイヤレスネットワーク100は、異なるタイプのBS、たとえば、マクロBS、ピコBS、フェムトBS、中継BSなどを含む異種ネットワークであり得る。これらの異なるタイプのBSは、ワイヤレスネットワーク100において、異なる送信電力レベル、異なるカバレージエリア、干渉に対する異なる影響を有し得る。たとえば、マクロBSは、高い送信電力レベル(たとえば、5〜40ワット)を有し得るが、ピコBS、フェムトBS、および中継BSは、より低い送信電力レベル(たとえば、0.1〜2ワット)を有し得る。
【００４１】
ネットワークコントローラ130は、BSのセットに結合してもよく、これらのBSのための協調および制御を行ってもよい。ネットワークコントローラ130は、バックホールを介してBSと通信し得る。BSはまた、たとえば、ワイヤレスまたはワイヤラインバックホールを介して、直接または直接的に互いと通信し得る。
【００４２】
UE120(たとえば、120a、120b、120c)はワイヤレスネットワーク100全体にわたって分散されてもよく、各UEは固定またはモバイルであってもよい。UEは、アクセス端末、端末、移動局、加入者ユニット、局などと呼ばれることもある。UEは、セルラーフォン(たとえば、スマートフォン)、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレット、カメラ、ゲームデバイス、ネットブック、スマートブック、ウルトラブック、医療デバイスもしくは医療機器、生体センサー/デバイス、ウェアラブルデバイス(スマートウオッチ、スマートクロージング、スマートグラス、スマートリストバンド、スマートジュエリー(たとえば、スマートリング、スマートブレスレット))、エンターテインメントデバイス(たとえば、音楽もしくはビデオデバイス、または衛星ラジオ)、車両構成要素もしくはセンサー、スマートメーター/センサー、産業用製造機器、全地球測位システムデバイス、またはワイヤレスもしくはワイヤード媒体を介して通信するように構成された任意の他の適切なデバイスであり得る。
【００４３】
いくつかのUEは、マシンタイプ通信(MTC)または発展型もしくは拡張マシンタイプ通信(eMTC)UEと見なされてもよい。MTC UEおよびeMTC UEは、たとえば、基地局、別のデバイス(たとえば、リモートデバイス)、または何らかの他のエンティティと通信し得る、ロボット、ドローン、センサー、メーター、モニタ、ロケーションタグなどのリモートデバイスを含む。ワイヤレスノードは、たとえば、ワイヤードまたはワイヤレス通信リンクを介して、ネットワーク(たとえば、インターネットまたはセルラーネットワークなどのワイドエリアネットワーク)のための、またはネットワークへの接続性を提供し得る。いくつかのUEは、モノのインターネット(IoT)デバイスと見なされてもよく、および/またはNB-IoT(狭帯域モノのインターネット)デバイスとして実装されてもよい。いくつかのUEは、顧客構内機器(CPE)と見なされてもよい。NB-IoTまたはeMTC UE120などのUE120は、ウェイクアップ信号が受信されるまで、休止状態またはアイドル状態のままであってもよい。ウェイクアップ信号は、通信がUE120のためにスケジュールされることを示し得る。本明細書の他の場所で説明するいくつかの態様では、UE120はUEグループにグループ化されてもよく、このことはウェイクアップ信号の使用の効率を高めることができる。
【００４４】
一般に、任意の数のワイヤレスネットワークが、所与の地理的エリアにおいて展開され得る。各ワイヤレスネットワークは、特定のRATをサポートしてもよく、1つまたは複数の周波数上で動作してもよい。RATは、無線技術、エアインターフェースなどと呼ばれることもある。周波数は、キャリア、周波数チャネルなどと呼ばれることもある。各周波数は、異なるRATのワイヤレスネットワーク間の干渉を避けるために、所与の地理的エリアにおいて単一のRATをサポートしてもよい。場合によっては、5G RATネットワークが展開されてもよい。
【００４５】
いくつかの例では、エアインターフェースへのアクセスがスケジュールされてもよく、スケジューリングエンティティ(たとえば、基地局)は、スケジューリングエンティティのサービスエリアまたはセル内のいくつかまたはすべてのデバイスおよび機器の間で通信のためのリソースを割り振る。本開示内では、以下でさらに説明するように、スケジューリングエンティティは、1つまたは複数の従属エンティティのためのリソースのスケジューリング、割当て、再構成、および解放を担い得る。すなわち、スケジュールされた通信のために、従属エンティティは、スケジューリングエンティティによって割り振られたリソースを利用する。
【００４６】
基地局は、スケジューリングエンティティとして機能し得る唯一のエンティティではない。すなわち、いくつかの例では、UEは、1つまたは複数の従属エンティティ(たとえば、1つまたは複数の他のUE)のためのリソースをスケジュールするスケジューリングエンティティとして機能し得る。この例では、UEはスケジューリングエンティティとして機能しており、他のUEは、ワイヤレス通信のためにUEによってスケジュールされたリソースを利用する。UEは、ピアツーピア(P2P)ネットワークにおいて、および/またはメッシュネットワークにおいて、スケジューリングエンティティとして機能し得る。メッシュネットワークの例では、UEは、スケジューリングエンティティと通信することに加えて、任意選択で互いと直接通信し得る。
【００４７】
したがって、時間周波数リソースへのスケジュールされたアクセスを伴い、セルラー構成、P2P構成、およびメッシュ構成を有するワイヤレス通信ネットワークでは、スケジューリングエンティティおよび1つまたは複数の従属エンティティは、スケジュールされたリソースを利用して通信し得る。
【００４８】
上記で示したように、図1は単に一例として与えられる。他の例が可能であり、図1に関して説明したものとは異なってもよい。
【００４９】
図2は、図1の基地局のうちの1つおよびUEのうちの1つであり得る、BS110およびUE120の設計のブロック図200を示す。BS110はT個のアンテナ234a〜234tを備えてもよく、UE120はR個のアンテナ252a〜252rを備えてもよく、ただし、一般に、T≧1かつR≧1である。
【００５０】
BS110において、送信プロセッサ220は、1つまたは複数のUEのためのデータをデータソース212から受信し、UEから受信されたチャネル品質インジケータ(CQI)に少なくとも部分的に基づいてUEごとに1つまたは複数の変調およびコーディング方式(MCS)を選択し、UEのために選択されたMCSに少なくとも部分的に基づいてUEごとにデータを処理(たとえば、符号化および変調)し、データシンボルをすべてのUEに提供してもよい。送信プロセッサ220はまた、(たとえば、半静的リソース区分情報(SRPI)などのための)システム情報および制御情報(たとえば、CQI要求、許可、上位レイヤシグナリングなど)を処理し、オーバーヘッドシンボルおよび制御シンボルを提供してもよい。送信プロセッサ220はまた、基準信号(たとえば、セル固有基準信号(CRS)、狭帯域基準信号(NRS))および同期信号(たとえば、1次同期信号(PSS)および2次同期信号(SSS)、狭帯域PSS(NPSS)および狭帯域SSS(NSSS))のための基準シンボルを生成してもよい。送信(TX)多入力多出力(MIMO)プロセッサ230は、該当する場合、データシンボル、制御シンボル、オーバーヘッドシンボル、および/または基準シンボルに対して空間処理(たとえば、プリコーディング)を実行してもよく、T個の出力シンボルストリームをT個の変調器(MOD)232a〜232tに提供してもよい。各変調器232は、(たとえば、OFDM用などに)それぞれの出力シンボルストリームを処理して、出力サンプルストリームを取得してもよい。各変調器232は、出力サンプルストリームをさらに処理(たとえば、アナログに変換、増幅、フィルタリング、およびアップコンバート)して、ダウンリンク信号を取得してもよい。変調器232a〜232tからのT個のダウンリンク信号は、それぞれ、T個のアンテナ234a〜234tを介して送信されてもよい。以下でより詳細に説明するいくつかの態様によれば、同期信号は、追加の情報を伝達するためにロケーション符号化を用いて生成され得る。
【００５１】
UE120において、アンテナ252a〜252rは、BS110および/または他の基地局からダウンリンク信号を受信してもよく、それぞれ、受信信号を復調器(DEMOD)254a〜254rに提供してもよい。各復調器254は、受信信号を調整(たとえば、フィルタリング、増幅、ダウンコンバート、およびデジタル化)して、入力サンプルを取得してもよい。各復調器254は、(たとえば、OFDM用などに)入力サンプルをさらに処理して、受信シンボルを取得してもよい。MIMO検出器256は、すべてのR個の復調器254a〜254rから受信シンボルを取得し、該当する場合、受信シンボルに対してMIMO検出を実行し、検出されたシンボルを提供してもよい。受信(RX)プロセッサ258は、検出されたシンボルを処理(たとえば、復調および復号)し、UE120のための復号されたデータをデータシンク260に提供し、復号された制御情報およびシステム情報をコントローラ/プロセッサ280に提供してもよい。チャネルプロセッサは、基準信号受信電力(RSRP)、受信信号強度インジケータ(RSSI)、基準信号受信品質(RSRQ)、チャネル品質インジケータ(CQI)などを決定してもよい。いくつかの態様では、チャネルプロセッサは、本明細書の他の場所で説明するように、ウェイクアップ信号に少なくとも部分的に基づいて基準値を決定してもよい。
【００５２】
アップリンク上では、UE120において、送信プロセッサ264は、データソース262からのデータおよびコントローラ/プロセッサ280からの(たとえば、RSRP、RSSI、RSRQ、CQIなどを含む報告用の)制御情報を受信し、処理してもよい。送信プロセッサ264はまた、1つまたは複数の基準信号のための基準シンボルを生成してもよい。送信プロセッサ264からのシンボルは、該当する場合、TX MIMOプロセッサ266によってプリコーディングされ、(たとえば、DFT-s-OFDM、CP-OFDM用などに)変調器254a〜254rによってさらに処理され、BS110に送信されてもよい。BS110において、UE120および他のUEからのアップリンク信号は、アンテナ234によって受信され、復調器232によって処理され、該当する場合、MIMO検出器236によって検出され、受信プロセッサ238によってさらに処理されて、UE120によって送られた復号されたデータおよび制御情報を取得してもよい。受信プロセッサ238は、復号されたデータをデータシンク239に提供し、復号された制御情報をコントローラ/プロセッサ240に提供してもよい。BS110は、通信ユニット244を含み、通信ユニット244を介してネットワークコントローラ130と通信してもよい。ネットワークコントローラ130は、通信ユニット294、コントローラ/プロセッサ290、およびメモリ292を含んでもよい。
【００５３】
BS110のコントローラ/プロセッサ240、UE120のコントローラ/プロセッサ280、および/または図2の任意の他の構成要素は、ウェイクアップ信号リソース割振りに関するシグナリングを実行してもよい。たとえば、BS110のコントローラ/プロセッサ240、UE120のコントローラ/プロセッサ280、および/または図2の任意の他の構成要素は、たとえば、図7の方法700、図8の方法800、図9の方法900、図10の方法1000、および/または本明細書で説明するような他のプロセスの動作を実行または指示してもよい。メモリ242および282は、それぞれ、BS110およびUE120のためのデータおよびプログラムコードを記憶してもよい。スケジューラ246は、ダウンリンクおよび/またはアップリンク上でのデータ送信のためにUEをスケジュールしてもよい。
【００５４】
上記で示したように、図2は単に一例として与えられる。他の例が可能であり、図2に関して説明したものとは異なってもよい。
【００５５】
図3は、電気通信システム(たとえば、LTE)における周波数分割複信(FDD)のための例示的なフレーム構造300を示す。ダウンリンクおよびアップリンクの各々に対する送信タイムラインは、無線フレームの単位に区分されてもよい。各無線フレームは、所定の持続時間(たとえば、10ミリ秒(ms))を有してもよく、0〜9のインデックスを有する10個のサブフレームに区分されてもよい。各サブフレームは、2つのスロットを含み得る。したがって、各無線フレームは、0〜19のインデックスを有する20個のスロットを含み得る。各スロットは、L個のシンボル期間、たとえば、(図3に示すように)ノーマルサイクリックプレフィックスの場合は7個のシンボル期間、または拡張サイクリックプレフィックスの場合は6個のシンボル期間を含み得る。このサイクリックプレフィックスは、通信が特定のUEに関連付けられるかどうかを(たとえば、特定のUEに関連付けられたUEグループ識別子および/またはセル識別子に少なくとも部分的に基づいて)識別し得るプリアンブルに含まれ得る。各サブフレームの中の2L個のシンボル期間は、0〜2L-1のインデックスを割り当てられ得る。
【００５６】
いくつかの技法について、フレーム、サブフレーム、スロットなどに関して本明細書で説明するが、これらの技法は、5Gにおいて「フレーム」、「サブフレーム」、「スロット」など以外の用語を使用して呼ばれることがある、他のタイプのワイヤレス通信構造に等しく適用され得る。いくつかの態様では、ワイヤレス通信構造は、ワイヤレス通信規格および/またはプロトコルによって定義される周期的な時間制限された通信単位を指すことがある。
【００５７】
いくつかの電気通信(たとえば、LTE)では、BSは、BSによってサポートされるセルごとのシステム帯域幅の中心において、ダウンリンク上で1次同期信号(PSS)および2次同期信号(SSS)を送信し得る。PSSおよびSSSは、図3に示すように、それぞれ、ノーマルサイクリックプレフィックスを有する各無線フレームのサブフレーム0および5の中のシンボル期間6および5において送信され得る。PSSおよびSSSは、セル探索および獲得のためにUEによって使用され得る。BSは、BSによってサポートされるセルごとのシステム帯域幅にわたってセル固有基準信号(CRS)を送信し得る。CRSは、各サブフレームのいくつかのシンボル期間において送信されることがあり、チャネル推定、チャネル品質測定、および/または他の機能を実行するためにUEによって使用されることがある。BSはまた、いくつかの無線フレームのスロット1の中のシンボル期間0〜3において物理ブロードキャストチャネル(PBCH)を送信し得る。PBCHは、何らかのシステム情報を搬送し得る。BSは、いくつかのサブフレームの中の物理ダウンリンク共有チャネル(PDSCH)上でシステム情報ブロック(SIB)などの他のシステム情報を送信し得る。BSは、サブフレームの最初のB個のシンボル期間において物理ダウンリンク制御チャネル(PDCCH)上で制御情報/データを送信してもよく、ここで、Bはサブフレームごとに構成可能であってもよい。BSは、各サブフレームの残りのシンボル期間においてPDSCH上でトラフィックデータおよび/または他のデータを送信してもよい。
【００５８】
(たとえば、5Gシステムなどの)他のシステムでは、ノードBは、これらのロケーションにおいて、またはサブフレームの異なるロケーションにおいて、これらの信号または他の信号を送信してもよい。
【００５９】
上記で示したように、図3は単に一例として与えられる。他の例が可能であり、図3に関して説明したものとは異なってもよい。
【００６０】
図4は、ノーマルサイクリックプレフィックスを有する2つの例示的なサブフレームフォーマット410および420を示す。利用可能な時間周波数リソースは、リソースブロックに区分され得る。各リソースブロックは、1つのスロットにおいて12個のサブキャリアをカバーすることができ、いくつかのリソース要素を含み得る。各リソース要素は、1つのシンボル期間において1つのサブキャリアをカバーすることができ、実数値または複素数値であり得る1つの変調シンボルを送るために使用され得る。
【００６１】
サブフレームフォーマット410は、2つのアンテナ用に使用され得る。CRSは、シンボル期間0、4、7および11においてアンテナ0および1から送信され得る。基準信号は、送信機および受信機によってアプリオリに知られる信号であり、パイロット信号と呼ばれることもある。CRSは、たとえば、セル識別情報(ID)に少なくとも部分的に基づいて生成される、セルに固有の基準信号である。図4では、ラベルRaを有する所与のリソース要素について、アンテナaからそのリソース要素上で変調シンボルが送信されることがあり、他のアンテナからそのリソース要素上で変調シンボルが送信されないことがある。サブフレームフォーマット420は、4つのアンテナとともに使用され得る。CRSは、シンボル期間0、4、7および11においてアンテナ0および1から送信され、シンボル期間1および8においてアンテナ2および3から送信され得る。サブフレームフォーマット410と420の両方について、CRSは、セルIDに少なくとも部分的に基づいて決定され得る、均等に離間したサブキャリア上で送信され得る。CRSは、それらのセルIDに応じて、同じまたは異なるサブキャリア上で送信され得る。サブフレームフォーマット410と420の両方について、CRSに使用されないリソース要素は、データ(たとえば、トラフィックデータ、制御データ、および/または他のデータ)を送信するために使用され得る。
【００６２】
LTEにおけるPSS、SSS、CRSおよびPBCHは、公開されている「Evolved Universal Terrestrial Radio Access (E-UTRA); Physical Channels and Modulation」と題する3GPP TS 36.211に記載されている。
【００６３】
本明細書で説明する例の態様はLTE技術に関連付けられ得るが、本開示の態様は、5G技術などの他のワイヤレス通信システムに適用可能であり得る。5Gは、(たとえば、直交周波数分割多元接続(OFDMA)ベースのエアインターフェース以外の)新しいエアインターフェースまたは(たとえば、インターネットプロトコル(IP)以外の)固定トランスポートレイヤに従って動作するように構成された無線を指すことがある。態様では、5Gは、CPを有する直交周波数分割多重(OFDM)(本明細書ではサイクリックプレフィックスOFDMまたはCP-OFDMと呼ばれる)および/またはSC-FDMをアップリンク上で利用してもよく、CP-OFDMをダウンリンク上で利用し、時分割複信(TDD)を使用する半二重動作に対するサポートを含んでもよい。態様では、5Gは、たとえば、CPを有するOFDM(本明細書ではCP-OFDMと呼ばれる)および/または離散フーリエ変換拡散直交周波数分割多重(DFT-s-OFDM)をアップリンク上で利用してもよく、CP-OFDMをダウンリンク上で利用し、TDDを使用する半二重動作に対するサポートを含んでもよい。5Gは、広帯域幅を対象とする拡張モバイルブロードバンド(eMBB)サービス(たとえば、80メガヘルツ(MHz)超)、高いキャリア周波数を対象とするミリ波(mmW)(たとえば、60ギガヘルツ(GHz))、後方互換性がないMTC技法を対象とするマッシブMTC(mMTC)、および/または超高信頼性低レイテンシ通信(URLLC)サービスを対象とするミッションクリティカルを含み得る。
【００６４】
上記で示したように、図4は単に一例として与えられる。他の例が可能であり、図4に関して説明したものとは異なってもよい。
【００６５】
図5A〜図5Cは、ウェイクアップ信号送信のためのTDMパターンおよび/またはアンテナポートパターンの例500を示す図である。ウェイクアップ信号は、限られた指示情報を搬送するシーケンスであってもよく、より多くの情報を搬送する後続の通信が行われ得る機会に関連付けられてもよい。いくつかの態様では、ウェイクアップ信号は1ビットであり得る。代替的に、ウェイクアップ信号は2ビットであり得る。ウェイクアップ信号はページとは異なり、ページよりも少ない情報を搬送することがある。追加または代替として、ウェイクアップ信号はPDCCHおよび/またはPDSCH送信を必要としないことがある。
【００６６】
図5A〜図5Cでは、2つのUEグループについて説明し、各UEグループはそれぞれのリソースパターンに関連付けられる。しかしながら、本明細書で説明する技法および装置は2つのUEグループに限定されず、任意の数のUEグループに適用され得る。たとえば、より多くのUEグループが実装形態において想定され得る。第1のリソースパターンに属するリソースはWUS1(ウェイクアップ信号1)として示され、第2のリソースパターンに属するリソースはWUS2(ウェイクアップ信号2)として示されている。いくつかの態様では、リソースパターンは、単一のUEグループに対応し得る。追加または代替として、リソースパターンは、ウェイクアップ信号の送信用のアンテナポートに対応し得る。追加または代替として、リソースパターンは、ウェイクアップ信号の送信用のアンテナポートのアンテナに対応し得る。たとえば、第1のリソースパターンは第1のアンテナに関連付けられてもよく、第2のリソースパターンは第2のアンテナに関連付けられてもよい。追加または代替として、リソースパターンは、ウェイクアップ信号の送信用のプリコーダセットに対応し得る。たとえば、第1のリソースパターンは第1のプリコーダセットに関連付けられてもよく、第2のリソースパターンは第2のプリコーダセットに関連付けられてもよい。プリコーダセットは、1つまたは複数のプリコーダ循環セットを含んでもよく、プリコーダ循環は、複数の異なるプリコーダセットを含んでもよい。そのような場合、2つ以上のリソースパターンは、単一のUEグループに関連付けられ得る。
【００６７】
いくつかの態様では、ウェイクアップ信号リソースは、複数のUEグループおよび/またはアンテナポートに対応する複数のリソースパターン(たとえば、3つのリソースパターン、5つのリソースパターン、または少なくとも2つのリソースパターン)に関連付けられ得る。
【００６８】
さらに、図5A〜図5Cでは、アンカーキャリアが図示および説明され、サブフレーム(SF)0はPBCHに使用され、SF4はシステム情報ブロック(たとえば、SIB1)に使用され、SF5は1次同期信号(NPSS)に使用され、SF9は奇数の無線フレームにおける2次同期信号(NSSS)に使用される。しかしながら、本明細書で説明する技法および装置は、PBCH、SIB、NPSS、および/またはNSSSを含まないことがある非アンカーキャリアに適用可能である。
【００６９】
参照番号505-1によって示すように、図5Aは、TDMパターン、アンテナポート送信リソースパターン、アンテナ送信リソースパターン、および/またはプリコーダセットリソースパターンの第1の例を示す。第1の例では、第1のリソースパターンのリソースは、第2のリソースパターンのリソースと交互になっている。たとえば、アンカーキャリアにおいて、WUS1はサブフレーム(SF)1、3、および7上で送信され得るが、WUS2はサブフレーム2、6、および8上で送信され得る。非アンカーキャリアにおいて、WUS1はサブフレーム0、2、4、6、および8上で送信され得るが、WUS2はサブフレーム1、3、5、7、および9上で送信され得る。このようにして、第1のUEグループおよび第2のUEグループに対するウェイクアップ信号の時間ダイバーシティが実現され、瞬時干渉に対するロバストネスが改善される。いくつかの態様では、WUS1および/またはWUS2は、NPSS、NSSS、および/または基準信号(たとえば、NRSなど)と同じアンテナポートを使用して送信されてもよく、このことは、UE120の受信機を再同調することに関連付けられた遅延を低減する。
【００７０】
いくつかの態様では、WUS1はBS110の第1のアンテナポートを使用して送信されてもよく、WUS2はBS110の第2のアンテナポートを使用して送信されてもよい。追加または代替として、WUS1は特定のアンテナポートの第1のアンテナを使用して送信されてもよく、WUS2は特定のアンテナポートの第2のアンテナを使用して送信されてもよい。追加または代替として、WUS1は第1のプリコーダセットを使用して送信されてもよく、WUS2は第2のプリコーダセットを使用して送信されてもよい(たとえば、WUS1およびWUS2は、同じアンテナおよび/またはアンテナポートによって送信されてもよい)。そのような場合、WUS1およびWUS2は、同じUEグループに関連付けられてもよく、WUS1またはWUS2としてのリソースの指定は、どのアンテナポート、アンテナ、および/またはプリコーダセットが対応するリソースにおいてウェイクアップ信号を送信するために使用されるべきかを示してもよい。このようにして、第1のUEグループおよび第2のUEグループに対するウェイクアップ信号の空間ダイバーシティが実現される。
【００７１】
図5Bに示すように、第2のリソースパターン505-2は、アンカーキャリアのサブフレーム1、2、および3の間にWUS1を送信してもよく、アンカーキャリアのサブフレーム6、7、および8の間にWUS2を送信してもよい。同様の技法が非アンカーキャリアに使用されてもよい(たとえば、WUS1の場合はサブフレーム0、1、2、3、および4、WUS2の場合はサブフレーム5、6、7、8、および9)。これは、ウェイクアップ信号のより多くの数の同時反復を実現することができ、このことは、ウェイクアップ信号の複数の反復を必要とするUE120のためのウェイクアップ信号の正常な受信の尤度を高めることができる。追加または代替として、BS110は、サブフレーム1、2、および3において第1のアンテナポート、アンテナポートの第1のアンテナ、および/または第1のプリコーダセットを使用してWUS1を送信してもよく、サブフレーム6、7、および8において第2のアンテナポート、アンテナポートの第2のアンテナ、および/または第2のプリコーダセットを使用してWUS2を送信してもよい。そのような場合、WUS1およびWUS2は、同じUEグループに関連付けられ得る。
【００７２】
図5Cに示すように、第3のリソースパターン505-3は、第1のフレーム510(たとえば、第1のフレーム510のサブフレーム1、2、3、6、7、および8)においてWUS1を送信してもよく、第2のフレーム515(たとえば、第2のフレーム515のサブフレーム1、2、3、6、7、および8)においてWUS2を送信してもよい。たとえば、第1のフレーム510および第2のフレーム515は、連続したフレームであってもよい。これは、複数の反復を使用するUEのためのウェイクアップ信号の受信の尤度をさらに高めることができる。この技法は、追加または代替として、非アンカーキャリアに適用されてもよい。追加または代替として、この技法は、第1および第2のアンテナポート、アンテナポートの第1および第2のアンテナ、ならびに/または、特定のアンテナおよび/もしくはアンテナポートに関連付けられた第1および第2のプリコーダセットに関して適用されてもよい。
【００７３】
いくつかの態様では、リソースパターンのウェイクアップ信号の数が構成可能であってもよい。たとえば、BS110は、WUS1および/またはWUS2のリソースパターンに含まれるべき任意の数のウェイクアップ信号を指定してもよい。このようにして、ウェイクアップシグナリングの多用性が改善され、リソースがより効率的に割り振られ得る。
【００７４】
いくつかの態様では、単一のウェイクアップ信号(たとえば、単一のWUS1または単一のWUS2)が送信されるべきであるとき、2つ以上の異なるアンテナポート、アンテナポートの2つ以上のアンテナ、および/または2つ以上のプリコーダセットが単一のサブフレーム内で使用されてもよい。たとえば、単一のウェイクアップ信号のシンボルの第1のサブセットが、第1のアンテナポート、第1のアンテナからおよび/または第1のプリコーダセットを使用して送信されてもよく、単一のウェイクアップ信号のシンボルの第2のサブセットが、第2のアンテナポート、第2のアンテナからおよび/または第2のプリコーダセットを使用して送信されてもよく、それによって、空間ダイバーシティを改善する。
【００７５】
いくつかの態様では、UE120は、ウェイクアップ信号を走査してもよい。UE120は、ウェイクアップ信号のプリアンブルに少なくとも部分的に基づいてウェイクアップ信号を識別してもよい。たとえば、BS110は、UE120に関連付けられたキャンピングセルまたはサービングセルのセル識別子の少なくとも一部分を識別するために、プリアンブルを符号化してもよい。加えて、BS110は、UE120のUEグループを識別するUEグループ識別子の少なくとも一部分を識別するために、プリアンブルを符号化してもよい。いくつかの態様では、UE120は、セル識別子およびUEグループ識別子が、それぞれ、UE120のセル識別子およびUEグループ識別子と一致するとき、ウェイクアップ信号がUE120に関連すると決定してもよい。いくつかの態様では、UE120は、セル識別子がUE120のセル識別子と一致するとき、ウェイクアップ信号がUE120に関連すると決定してもよい。いくつかの態様では、UE120は、UEグループ識別子がUE120のUEグループ識別子と一致するとき、ウェイクアップ信号がUE120に関連すると決定してもよい。
【００７６】
いくつかの態様では、UE120は、同期を実行してもよく、および/または、ウェイクアップ信号に少なくとも部分的に基づいて基準値を決定してもよい。たとえば、BS110は、ウェイクアップ信号のための電力レベルを構成してもよく、電力レベルを識別する情報をUE120に(たとえば、SIB、無線リソース制御(RRC)シグナリングなどを介して)提供してもよい。いくつかの態様では、電力レベルを識別する情報は、同期信号または基準信号(たとえば、PSS、SSS、NPSS、NSSS、RS、NRSなど)に対する電力オフセットを含んでもよい。UE120は、同期を実行してもよく、および/または、ウェイクアップ信号の電力レベルに少なくとも部分的に基づいて基準値を決定してもよい。いくつかの態様では、電力オフセットが指定されないとき、UE120はデフォルトオフセット(たとえば、0dBなど)を使用してもよい。
【００７７】
いくつかの態様では、BS110は、UE120のUEグループ識別子および/またはページング狭帯域に少なくとも部分的に基づいて、ウェイクアップ信号の送信のためのリソースを選択してもよい。たとえば、BS110は、以下の式1〜4を使用してリソースを決定してもよい。
式1: SFN mod T = (T div N)*(UE_ID mod N)
式2: i_s = floor(UE_ID/N) mod Ns
式3: PNB = floor(UE_ID/(N*Ns)) mod Nn
式4: UE_Group_ID = floor(UE_ID/(N*Ns* Nn)) mod N_WUS_Groups
【００７８】
式1は、UE120のためのページングフレーム(たとえば、システムフレーム番号(SFN) mod T)を識別するために使用され、Tは不連続受信(DRX)サイクルを指し、min{T,nB}として定義されるNはSIB2において構成されるTおよびnB値(たとえば、4T、2T、T、T/2、T/4、T/8、T/16、T/32、T/64、T/128、およびT/256のnB値、ならびにNB-IoTの場合は、T/512およびT/1024のnB値も)の最小値であり、UE_IDはUE120のUE識別子である。式2は、UE_ID、N、およびNsに少なくとも部分的に基づいてUE120のページング機会(PO)を指すインデックスi_sである。max{1,nB/T}として定義されるNsは、1およびnB/Tの最大値である。
【００７９】
式3は、UE_ID、N、Ns、およびNnに少なくとも部分的に基づいてUE120のページング狭帯域(PNB)を識別し、Nnは利用可能な狭帯域の数を識別し、システム情報において提供されてもよい。式4は、UEがN_WUS_Groupsにさらにグループ化されるように、UE_ID、N、Ns、およびNnに少なくとも部分的に基づいてUE120のUEグループ識別子(UE_Group_ID)を識別し、N_WUS_GroupsはUEグループの総数を識別する。このようにして、BS110およびUE120は、UE120のページング狭帯域のパラメータに少なくとも部分的に基づいて、UE120のUEグループ識別子を決定することができる。N_WUS_Groupsは、N_WUS_Groupsの事前定義された最大値の範囲内でシステム情報および/またはRRCシグナリングにおいて事前定義されるかまたは構成されてもよい。特に、上記で説明した手法は、任意の数のUEグループ(たとえば、任意の値のN_WUS_Groups)に対して実行され得る。
【００８０】
いくつかの態様では、BS110はプリアンブルのパラメータを示す情報をUE120に提供してもよく、UE120はパラメータに少なくとも部分的に基づいて関連するウェイクアップ信号を識別してもよい。そのような場合、UE120のUEグループ化の構成はトランスペアレントであってもよい。たとえば、UE120は、UEグループ化の方法/基準を知らないが、プリアンブルに含まれる特定のUEグループ識別子および/またはセル識別子を有する割り振られたプリアンブルのみを知っていることがあり、パラメータと一致するプリアンブルを探索していることがある。
【００８１】
いくつかの態様では、UE120は、UE120の能力を識別する情報を報告するかまたは送信してもよい。たとえば、UE120は、UE120の受信機がレガシー同期信号を識別するように構成されるかどうかを識別する情報を報告してもよい。追加または代替として、UE120は、UE120の受信機の検出および/または同期時間を識別する情報を報告してもよい。追加または代替として、UE120は、ウェイクアップ信号と後続の通信との間の同期処理時間を識別する情報を報告してもよい。たとえば、UE120は、UE120が第1のタイプの遅延(たとえば、遅延なしまたは0ms)を有するか、第2のタイプの遅延(たとえば、より短い遅延または約15ms)を有するか、または第3のタイプの遅延(たとえば、より長い遅延または約500ms)を有するかを示す情報を報告してもよい。
【００８２】
BS110は、UE120の能力を識別する情報に少なくとも部分的に基づいて、特定の遅延を伴うウェイクアップ信号の後に通信を送信してもよい。いくつかの態様では、UE120は、特定の遅延の後に通信を走査してもよい。追加または代替として、UE120は、最大遅延などの特定の長さの時間にわたって通信を走査してもよい。
【００８３】
いくつかの態様では、UE120は、UE120の反復構成に少なくとも部分的に基づいて、ウェイクアップ信号に関して特定のリソースを監視してもよい。たとえば、UE120は、通信を正常に復号するために、特定の数の反復(たとえば、1回の反復、4回の反復、16回の反復、64回の反復、2048回の反復など)を必要とすることがある。通信の復号が成功する可能性が低いので、特定の数の反復よりも少ない反復を有する通信のためにUE120をアウェイクすることは有益ではない場合がある。
【００８４】
したがって、ウェイクアップ信号リソースの長さは、UE120の反復構成に少なくとも部分的に基づいて構成されてもよい。たとえば、ウェイクアップ信号リソース長は、通信の反復の最大数に少なくとも部分的に基づいて決定されてもよい。ウェイクアップ信号は、ウェイクアップ信号リソース内で送信されてもよく、ウェイクアップ信号に使用されるリソースの数は、通信の反復の実数に少なくとも部分的に基づいてもよい。
【００８５】
たとえば、通信の反復の最大数は2048回の反復であると想定する。さらに、UE120が16の減少係数で構成されると想定する。減少係数は、通信の反復の数とウェイクアップ信号の反復の数との間の関係を識別することができる。この場合、ウェイクアップ信号の反復の最大数は、128回の反復の値Mである(たとえば、2048/16)。通信がサブフレームNにおいて開始する場合、ウェイクアップ信号リソースはサブフレームN-M、N-2M、N-3Mなどにおいて開始することができる。より詳細には、UE120のためのウェイクアップ信号リソースは、それぞれのサブフレームN-M、N-2M、N-3M、およびN-4Mにおいて開始してもよい。言い換えれば、通信は、N-M、N-2M、N-3M、およびN-4Mにおいて開始する4つのウェイクアップ信号リソースに関連付けられてもよい。
【００８６】
次に、通信が128回の反復という反復の実数を有すると想定する。その場合、減少係数に従って、ウェイクアップ信号の長さは8回の反復(たとえば、128/16)であり得る。いくつかの態様では、ウェイクアップ信号の8回の反復は、各ウェイクアップ信号リソースの終わりから開始して送信されてもよい(たとえば、N-8、N-7、...、N-1)。いくつかの態様では、ウェイクアップ信号の8回の反復は、各ウェイクアップリソースの初めから開始して送信されてもよい(たとえば、N-M、N-M+1、...、N-M+7)。このようにして、ウェイクアップ信号リソースは、通信の反復の最大数および反復の実数に少なくとも部分的に基づいて構成される。
【００８７】
上記で示したように、図5A〜図5Cは例として与えられる。他の例が可能であり、図5A〜図5Cに関して説明したものとは異なってもよい。
【００８８】
図6は、ウェイクアップ信号送信のためのFDMパターンの一例600を示す図である。拡張マシンタイプ通信(eMTC)無線アクセス技術などのいくつかの態様では、FDMが使用され得る。たとえば、図6に示すように、eMTC通信のためのリソース605、610、615、620のセットは、周波数において並列である6つの物理リソースブロック(PRB)を含み得る。たとえば、6つのPRBは、単一のサブフレームまたはフレームに関連付けられ得る。
【００８９】
参照番号605によって示すように、いくつかの態様では、WUS1によって示されるリソースパターンのリソースは、WUS2によって示されるリソースパターンのリソースと交互になっていてもよい。これは、ウェイクアップ信号の周波数ダイバーシティを改善し得る。
【００９０】
参照番号610によって示すように、いくつかの態様では、WUS1によって示されるリソースパターンの複数のリソースは、周波数において連続して割り振られてもよく、WUS2によって示されるリソースパターンの複数のリソースは、周波数において連続して割り振られてもよい。このようにして、複数の反復を使用するUEは、ウェイクアップ信号を復号することが可能であり得る。
【００９１】
参照番号615および620によって示すように、いくつかの態様では、第1のフレームまたはサブフレームの全帯域幅はWUS1に対して割り振られてもよく、第2のフレームまたはサブフレームの全帯域幅はWUS2に対して割り振られてもよい。このようにして、複数の反復を必要とするUEのためのウェイクアップ信号の復号の尤度がさらに改善され得る。
【００９２】
いくつかの態様では、リソースは、周波数ホッピング技法を使用して、ウェイクアップ信号に対して割り振られてもよい。たとえば、BS110は、UE120に対して、開始サブフレームインデックス、周波数オフセット、および/または周波数ホッピングのためのホッピング時間を構成し得る。BS110は、開始サブフレームインデックス、周波数オフセット、および/またはホッピング時間に従って、ウェイクアップ信号の送信のためのリソースを割り振り得る。
【００９３】
上記で示したように、図6は一例として与えられる。他の例が可能であり、図6に関して説明したものとは異なってもよい。
【００９４】
図7は、ワイヤレス通信の方法700のフローチャートである。方法は、基地局(たとえば、図1のBS110、装置1102/1102'など)によって実行されてもよい。
【００９５】
710において、基地局は、UEへの通信のためのウェイクアップ信号を生成してもよい。たとえば、ウェイクアップ信号は、UEのUEグループおよび/またはUEのセルのセル識別子を識別するプリアンブルを含んでもよい。基地局は、通信を受信するためにウェイクアップするかまたはアイドルモードもしくは休止モードから出ることをUEに行わせるウェイクアップ信号を提供してもよい。
【００９６】
720において、基地局は、第1のリソースパターンの1つまたは複数の第1のリソースあるいは第2のリソースパターンの1つまたは複数の第2のリソースから選択されたリソースを使用してウェイクアップ信号を送信してもよい。たとえば、第1のリソースパターンは第1のUEグループに関連付けられてもよく、第2のリソースパターンは第2のUEグループに関連付けられてもよい。基地局は、ウェイクアップ信号が第1のUEグループに送信されるべきかまたは第2のUEグループに送信されるべきかに少なくとも部分的に基づいて、1つまたは複数の第1のリソースあるいは1つまたは複数の第2のリソースのうちのリソースを選択してもよい。いくつかの態様では、基地局は、(たとえば、基地局が、3つ以上のリソースパターンに対応する3つ以上のUEグループのためのリソース割振りを実行するとき)3つ以上のリソースパターンからリソースを選択してもよい。
【００９７】
いくつかの態様では、1つまたは複数の第1のリソースは、時間領域において1つまたは複数の第2のリソースと交互になる。いくつかの態様では、1つまたは複数の第1のリソースはサブフレームの第1のセットの中にあり、1つまたは複数の第2のリソースはサブフレームの第2のセットの中にある。いくつかの態様では、第1のリソースパターンは第1のアンテナポートに関連付けられ、第2のリソースパターンは第2のアンテナポートに関連付けられる。いくつかの態様では、第1のリソースパターンはアンテナポートの第1のアンテナに関連付けられ、第2のリソースパターンはアンテナポートの第2のアンテナに関連付けられる。いくつかの態様では、第1のリソースパターンは第1のプリコーダセットに関連付けられ、第2のリソースパターンは第2のプリコーダセットに関連付けられる。いくつかの態様では、1つまたは複数の第1のリソースおよび1つまたは複数の第2のリソースは、アンカーキャリアに含まれる。いくつかの態様では、1つまたは複数の第1のリソースおよび1つまたは複数の第2のリソースは、非アンカーキャリアに含まれる。いくつかの態様では、ウェイクアップ信号は、UEのための同期信号または基準信号と同じアンテナポートを使用して送信される。
【００９８】
いくつかの態様では、ウェイクアップ信号は、単一のサブフレーム内で2つ以上のアンテナポートを使用して送信される。いくつかの態様では、1つまたは複数の第1のリソースの数あるいは1つまたは複数の第2のリソースの数は、構成可能である。いくつかの態様では、1つまたは複数の第1のリソースおよび1つまたは複数の第2のリソースは、物理リソースブロック(PRB)を含む。いくつかの態様では、1つまたは複数の第1のリソースは、周波数領域において1つまたは複数の第2のリソースと交互になる。いくつかの態様では、1つまたは複数の第1のリソースあるいは1つまたは複数の第2のリソースのうちのリソースは、時間領域および周波数領域において変化する。
【００９９】
いくつかの態様では、ウェイクアップ信号のプリアンブルは、ウェイクアップ信号が関連付けられる、第1のUEグループおよび第2のUEグループのうちのUEグループを識別する。追加または代替として、ウェイクアップ信号のプリアンブルは、UEが関連付けられるセルを識別する。
【０１００】
いくつかの態様では、第1のUEグループおよび第2のUEグループを識別する構成情報は、システム情報において提供される。いくつかの態様では、ウェイクアップ信号の送信電力は、基地局によって送信される同期信号に対する電力オフセットに少なくとも部分的に基づいて構成される。いくつかの態様では、第1のUEグループおよび第2のUEグループのうちのUEグループは、UEのページング狭帯域に少なくとも部分的に基づいてUEに割り当てられる。
【０１０１】
いくつかの態様では、ウェイクアップ信号は、ウェイクアップ信号のプリアンブルのパラメータにさらに少なくとも部分的に基づいて識別され、UEは、プリアンブルのパラメータを検出するように構成される。
【０１０２】
いくつかの態様では、リソースは、通信(たとえば、以下でブロック720に関して説明する通信)の反復の最大数に少なくとも部分的に基づいて選択される。いくつかの態様では、リソースは、通信の反復の実数に少なくとも部分的に基づいて選択される。いくつかの態様では、1つまたは複数の第1のリソースおよび1つまたは複数の第2のリソースは、第1のUEグループおよび第2のUEグループを含む複数のUEグループのうちの少なくとも1つの他のUEグループに関連付けられたリソースと多重化される。
【０１０３】
730において、基地局は、ウェイクアップ信号に少なくとも部分的に基づいて通信をUEに送信してもよい。たとえば、通信はダウンリンクチャネルを含んでもよい。基地局は、UEが通信(たとえば、アイドルモードからのウェイクアップなど)を受信するために走査するように、ウェイクアップ信号をUEに送信した後に通信をUEに送信してもよい。いくつかの態様では、通信は、UEの能力に少なくとも部分的に基づいて、特定の遅延の後に送信される。たとえば、能力は、UEの受信機タイプまたはUEの同期処理時間のうちの少なくとも1つに関してもよい。追加または代替として、通信は、最大遅延が経過する前に送信されてもよい。
【０１０４】
図7は、ワイヤレス通信の方法の例示的なブロックを示すが、いくつかの態様では、方法は、図7に示すブロックと比べて、追加のブロック、より少ないブロック、異なるブロック、または異なるように配置されたブロックを含んでもよい。追加または代替として、図7に示す2つ以上のブロックが並行して実行されてもよい。
【０１０５】
図8は、ワイヤレス通信の方法800のフローチャートである。方法は、UE(たとえば、図1のUE120、装置1302/1302'など)によって実行されてもよい。
【０１０６】
810において、UEは、UEを含むUEグループに関連付けられたウェイクアップ信号を識別するためにリソースパターンの特定のリソースを走査してもよい。たとえば、リソースパターンは、UEグループに関連付けられてもよい。UEは、UEグループに宛てられたウェイクアップ信号を識別するために特定のリソースを走査してもよい。ウェイクアップ信号は、UEグループのUEに、ウェイクアップを実行することおよび/または後続の通信を受信することを行わせることができる。いくつかの態様では、UEがUEグループに関連付けられることを示す構成情報は、システム情報においてUEによって受信される。
【０１０７】
いくつかの態様では、UEグループは、UEのページング狭帯域のパラメータに少なくとも部分的に基づいて、およびUEグループの数のパラメータに少なくとも部分的に基づいて、UEに割り当てられる。たとえば、UEグループの数は、任意の整数であってもよい。いくつかの態様では、特定のリソースの長さは、UEによって受信されるべき通信に関連付けられた反復の最大数に少なくとも部分的に基づく。いくつかの態様では、特定のリソースは、ウェイクアップ信号に関してUEによって走査される複数のリソースのうちの1つであり、複数のリソースは、通信に関連付けられた反復の最大数および反復の実数に少なくとも部分的に基づいて決定される。いくつかの態様では、UEは、UEグループの総数に少なくとも部分的に基づいてUEグループを決定するように構成される。いくつかの態様では、UEグループは、ウェイクアップメッセージが検出される前に構成されるかまたは定義される。
【０１０８】
820において、UEは、UEに関連付けられたセル識別子またはUEグループ識別子のうちの少なくとも1つに少なくとも部分的に基づいてウェイクアップ信号を識別してもよい。たとえば、セル識別子の少なくとも一部分および/またはUEグループ識別子の少なくとも一部分は、ウェイクアップ信号のプリアンブルによって識別されてもよい。UEは、プリアンブルに少なくとも部分的に基づいてウェイクアップ信号を識別してもよい。
【０１０９】
いくつかの態様では、UEグループ識別子の一部分は、ウェイクアップ信号のプリアンブルによって識別される。いくつかの態様では、ウェイクアップ信号は、ウェイクアップ信号のプリアンブルのパラメータにさらに少なくとも部分的に基づいて識別され、UEは、プリアンブルのパラメータを検出するように構成される。
【０１１０】
830において、UEは、任意選択で、ウェイクアップ信号の送信電力に少なくとも部分的に基づいて基準値を決定してもよい。たとえば、送信電力は、UEによって受信される同期信号に対する電力オフセットに少なくとも部分的に基づいてもよい。このようにして、UEは、通常であれば別個の同期信号を送信および/または使用して基準値を決定するために使用されることになるネットワークリソースを節約することができる。
【０１１１】
840において、UEは、任意選択で、ウェイクアップ信号を識別したことに少なくとも部分的に基づいて、通信を受信するためにウェイクアップを実行してもよい。たとえば、UEは、ウェイクアップ信号を識別したことに少なくとも部分的に基づいて、特定の時間にページングを受信するためにウェイクアップしてもよい。いくつかの態様では、UEは、本明細書の他の場所でより詳細に説明するように、ウェイクアップ信号を受信した後に特定の長さの時間にわたってアウェイクしたままであってもよい。
【０１１２】
850において、UEは、任意選択で、通信を受信してもよい。たとえば、UEは、ウェイクアップを実行した後に通信を受信してもよい。いくつかの態様では、通信は、UEの能力に少なくとも部分的に基づいて、特定の遅延の後に受信される。いくつかの態様では、UEは、能力を識別する情報を、通信を送信する基地局に送信してもよい。いくつかの態様では、能力は、UEの受信機タイプまたはUEの同期処理時間のうちの少なくとも1つに関する。いくつかの態様では、通信は、最大遅延が経過する前に受信される。UEは、ウェイクアップ信号と最大遅延に関連付けられた時間との間の通信を走査してもよい。
【０１１３】
図8は、ワイヤレス通信の方法の例示的なブロックを示すが、いくつかの態様では、方法は、図8に示すブロックと比べて、追加のブロック、より少ないブロック、異なるブロック、または異なるように配置されたブロックを含んでもよい。追加または代替として、図8に示す2つ以上のブロックが並行して実行されてもよい。
【０１１４】
図9は、ワイヤレス通信の方法900のフローチャートである。方法は、基地局(たとえば、図1のBS110、装置1102/1102'など)によって実行されてもよい。
【０１１５】
910において、基地局は、ウェイクアップ信号を、第1のアンテナポートを使用するウェイクアップ信号の送信に対応する第1のリソースパターンの1つまたは複数の第1のリソース、あるいは、第2のアンテナポートを使用するウェイクアップ信号の送信に対応する第2のリソースパターンの1つまたは複数の第2のリソースのうちの1つから選択されたリソースを使用して送信してもよい。
【０１１６】
920において、基地局は、ウェイクアップ信号に少なくとも部分的に基づいて通信をユーザ機器(UE)に送信してもよい。
【０１１７】
いくつかの態様では、方法900は、以下でおよび/または本明細書で説明する1つまたは複数の他の方法に関して説明する1つまたは複数の態様などの、追加の態様を含んでもよい。
【０１１８】
いくつかの態様では、1つまたは複数の第1のリソースはサブフレームの第1のセットの中にあり、1つまたは複数の第2のリソースはサブフレームの第2のセットの中にある。いくつかの態様では、1つまたは複数の第1のリソースあるいは1つまたは複数の第2のリソースのうちのリソースは、時間領域または周波数領域のうちの少なくとも1つにおいて変化する。いくつかの態様では、1つまたは複数の第1のリソースおよび1つまたは複数の第2のリソースは、アンカーキャリアに含まれる。いくつかの態様では、1つまたは複数の第1のリソースおよび1つまたは複数の第2のリソースは、非アンカーキャリアに含まれる。いくつかの態様では、1つまたは複数の第1のリソースおよび1つまたは複数の第2のリソースは、通信と同じ狭帯域に含まれる。
【０１１９】
いくつかの態様では、1つまたは複数の第1のリソースおよび1つまたは複数の第2のリソースは、物理ブロードキャストチャネル、1次同期信号、または2次同期信号を搬送しないリソースを含む。いくつかの態様では、1つまたは複数の第1のリソースおよび1つまたは複数の第2のリソースは、周波数領域における物理リソースブロックを含む。いくつかの態様では、1つまたは複数の第1のリソースおよび1つまたは複数の第2のリソースの周波数オフセットは、UEに示される。いくつかの態様では、ウェイクアップ信号のプリアンブルは、UEグループを識別する。いくつかの態様では、ウェイクアップ信号のプリアンブルは、セルを識別する。
【０１２０】
いくつかの態様では、ウェイクアップ信号は、同期を実行するために使用される。いくつかの態様では、ウェイクアップ信号の送信電力は、同期信号または基準信号に対する電力オフセットに少なくとも部分的に基づいて構成される。いくつかの態様では、通信は、ウェイクアップ信号と通信との間の遅延またはギャップの後に送信され、遅延またはギャップは、UE能力に少なくとも部分的に基づいて構成される。いくつかの態様では、UE能力は、UEの受信機タイプまたはUEの処理時間のうちの少なくとも1つに関し、処理時間は、UEによって事前定義されるかまたは報告される。
【０１２１】
いくつかの態様では、ウェイクアップ信号の最大持続時間に対するリソースの数は、通信の反復の最大数に少なくとも部分的に基づいて選択される。いくつかの態様では、ウェイクアップ信号の実際の持続時間に対するリソースの数は、通信の反復の実数に少なくとも部分的に基づいて選択される。いくつかの態様では、リソースは、ウェイクアップ信号の送信用の開始サブフレームであり、開始サブフレームは、通信の開始サブフレーム、ウェイクアップ信号の最大持続時間、および通信とウェイクアップ信号の最大持続時間の終わりとの間のギャップに少なくとも部分的に基づいて決定される。
【０１２２】
図9は、ワイヤレス通信の方法の例示的なブロックを示すが、いくつかの態様では、方法は、図9に示すブロックと比べて、追加のブロック、より少ないブロック、異なるブロック、または異なるように配置されたブロックを含んでもよい。追加または代替として、図9に示す2つ以上のブロックが並行して実行されてもよい。
【０１２３】
図10は、ワイヤレス通信の方法1000のフローチャートである。方法は、UE(たとえば、図1のUE120、装置1302/1302'など)によって実行されてもよい。
【０１２４】
1010において、UEは、UEに関連付けられたウェイクアップ信号を識別するためにリソースパターンの特定のリソースを走査してもよい。
【０１２５】
1020において、UEは、リソースパターンの特定のリソース上で基地局からウェイクアップ信号を受信してもよく、リソースパターンが、ウェイクアップ信号が送信されたアンテナポートに対応する。
【０１２６】
1030において、UEは、UEに関連付けられたセル識別子に少なくとも部分的に基づいて、ウェイクアップ信号をUEに関連付けられたものとして識別してもよく、セル識別子の少なくとも一部分が、ウェイクアップ信号によって示される。
【０１２７】
いくつかの態様では、方法1000は、以下でおよび/または本明細書で説明する1つまたは複数の他の方法に関して説明する1つまたは複数の態様などの、追加の態様を含んでもよい。
【０１２８】
いくつかの態様では、リソースパターンは、同じアンテナポートがウェイクアップ信号の送信に使用されるサブフレームのセットを含む。いくつかの態様では、特定のリソースは、物理ブロードキャストチャネル、1次同期信号、または2次同期信号を搬送しないリソースである。いくつかの態様では、ウェイクアップ信号は、UEグループ識別子に少なくとも部分的に基づいてさらに識別され、UEグループ識別子の少なくとも一部分が、ウェイクアップ信号によって示される。いくつかの態様では、ウェイクアップ信号は、同期を実行するために使用される。
【０１２９】
いくつかの態様では、UEは、ウェイクアップ信号を識別したことに少なくとも部分的に基づいて、通信を受信するためにスリープ状態からウェイクアップし、通信を受信するように構成されてもよい。いくつかの態様では、通信は、ウェイクアップ信号と通信との間の遅延またはギャップの後に受信され、遅延またはギャップは、UE能力に少なくとも部分的に基づいて構成される。いくつかの態様では、UEは、UE能力を識別する情報を、通信を送信する基地局に送信するように構成されてもよい。いくつかの態様では、UE能力は、UEの受信機タイプまたはUEの処理時間のうちの少なくとも1つに関し、処理時間は、UEによって事前定義されるかまたは報告される。
【０１３０】
いくつかの態様では、特定のリソースの最大持続時間は、UEのためにスケジュールされた通信に関連付けられた反復の最大数に少なくとも部分的に基づく。いくつかの態様では、特定のリソースの実際の持続時間は、UEのためにスケジュールされた通信に関連付けられた反復の実数に少なくとも部分的に基づく。いくつかの態様では、特定のリソースは、ウェイクアップ信号の受信用の開始サブフレームであり、開始サブフレームは、通信の開始サブフレーム、ウェイクアップ信号の最大持続時間、および通信とウェイクアップ信号の最大持続時間の終わりとの間のギャップに少なくとも部分的に基づいて決定される。いくつかの態様では、特定のリソースは、ウェイクアップ信号に関してUEによって走査される複数のリソースのうちの1つであり、複数のリソースは、UEによって受信されるべき通信に関連付けられた反復の最大数または反復の実数のうちの少なくとも1つに少なくとも部分的に基づいて決定される。
【０１３１】
図10は、ワイヤレス通信の方法の例示的なブロックを示すが、いくつかの態様では、方法は、図10に示すブロックと比べて、追加のブロック、より少ないブロック、異なるブロック、または異なるように配置されたブロックを含んでもよい。追加または代替として、図10に示す2つ以上のブロックが並行して実行されてもよい。
【０１３２】
図11は、例示的な装置1102における異なるモジュール/手段/構成要素間のデータフローを示す概念的なデータフロー図1100である。装置1102は、eNB、gNBなどの基地局であってもよい。いくつかの態様では、装置1102は、受信モジュール1104および送信モジュール1106を含む。
【０１３３】
受信モジュール1104は、UE1150(たとえば、UE120など)から信号1108を受信してもよい。いくつかの態様では、信号1108は、UE1150の能力を識別してもよい。受信モジュール1104は、データ1110を送信モジュール1106に提供してもよい。データ1110は、能力を識別してもよい。
【０１３４】
送信モジュール1106は、ウェイクアップ信号を送信してもよく、および/またはウェイクアップ信号に少なくとも部分的に基づいて通信を送信してもよい。たとえば、送信モジュール1106は信号1112を生成してもよく、装置1102は信号1112をUE1150に送信してもよい。信号1112は、ウェイクアップ信号、通信、および/または他の情報を含んでもよい。
【０１３５】
装置は、図7、図9などの上述のフローチャートにおけるアルゴリズムのブロックの各々を実行する追加のモジュールを含み得る。したがって、図7、図9などの上述のフローチャートにおける各ブロックは、モジュールによって実行される場合があり、装置は、それらのモジュールのうちの1つまたは複数を含み得る。モジュールは、述べられたプロセス/アルゴリズムを実行するように特に構成され、述べられたプロセス/アルゴリズムを実行するように構成されたプロセッサによって実装され、プロセッサによる実装のためにコンピュータ可読媒体内に記憶された、1つもしくは複数のハードウェア構成要素、またはそれらの何らかの組合せであり得る。
【０１３６】
図11に示すモジュールの数および配置は、一例として与えられる。実際には、図11に示すモジュールと比べて、追加のモジュール、より少ないモジュール、異なるモジュール、または異なるように配置されたモジュールがあってもよい。さらに、図11に示す2つ以上のモジュールが単一のモジュール内で実装されてもよく、または、図11に示す単一のモジュールが複数の分散されたモジュールとして実装されてもよい。追加または代替として、図11に示すモジュールのセット(たとえば、1つまたは複数のモジュール)は、図11に示すモジュールの別のセットによって実行されるものとして説明する1つまたは複数の機能を実行してもよい。
【０１３７】
図12は、処理システム1202を採用する装置1102'のためのハードウェア実装形態の一例を示す図1200である。装置1102'は、eNB、gNBなどの基地局であってもよい。
【０１３８】
処理システム1202は、バス1204によって概略的に表されるバスアーキテクチャを用いて実装され得る。バス1204は、処理システム1202の特定の適用例および全体的な設計制約に応じて、任意の数の相互接続バスおよびブリッジを含み得る。バス1204は、プロセッサ1206、モジュール1104、1106、およびコンピュータ可読媒体/メモリ1208によって表される、1つまたは複数のプロセッサおよび/またはハードウェアモジュールを含む様々な回路を互いにリンクさせる。バス1204はまた、タイミングソース、周辺装置、電圧調整器、および電力管理回路などの様々な他の回路をリンクさせることができるが、これらの回路は当技術分野でよく知られており、したがって、これ以上は説明しない。
【０１３９】
処理システム1202は、トランシーバ1210に結合され得る。トランシーバ1210は、1つまたは複数のアンテナ1212に結合される。トランシーバ1210は、送信媒体を介して様々な他の装置と通信するための手段を提供する。トランシーバ1210は、1つまたは複数のアンテナ1212から信号を受信し、受信された信号から情報を抽出し、抽出された情報を処理システム1202、具体的には受信モジュール1104に提供する。加えて、トランシーバ1210は、処理システム1202、具体的には送信モジュール1106から情報を受信し、受信された情報に少なくとも部分的に基づいて、1つまたは複数のアンテナ1212に印加されるべき信号を生成する。処理システム1202は、コンピュータ可読媒体/メモリ1208に結合されたプロセッサ1206を含む。プロセッサ1206は、コンピュータ可読媒体/メモリ1208上に記憶されたソフトウェアの実行を含む一般的な処理を担う。ソフトウェアは、プロセッサ1206によって実行されると、任意の特定の装置に対して、上記で説明した様々な機能を処理システム1202に実行させる。コンピュータ可読媒体/メモリ1208はまた、ソフトウェアを実行するときにプロセッサ1206によって操作されるデータを記憶するために使用されてもよい。処理システム1202は、モジュール1104および1106のうちの少なくとも1つをさらに含む。モジュールは、プロセッサ1206内で動作し、コンピュータ可読媒体/メモリ1208に存在する/記憶されたソフトウェアモジュールであってもよく、プロセッサ1206に結合された1つもしくは複数のハードウェアモジュールであってもよく、またはそれらの何らかの組合せであってもよい。処理システム1202は、BS110の構成要素であってもよく、メモリ242ならびに/またはTX MIMOプロセッサ230、受信プロセッサ238、および/もしくはコントローラ/プロセッサ240のうちの少なくとも1つを含んでもよい。
【０１４０】
いくつかの態様では、ワイヤレス通信のための装置1102/1102'は、ウェイクアップ信号を送信するための手段、ウェイクアップ信号に少なくとも部分的に基づいて通信を送信するための手段などを含む。追加または代替として、ワイヤレス通信のための装置1102/1102'は、ウェイクアップ信号を、第1のアンテナポートを使用するウェイクアップ信号の送信に対応する第1のリソースパターンの1つまたは複数の第1のリソース、あるいは、第2のアンテナポートを使用するウェイクアップ信号の送信に対応する第2のリソースパターンの1つまたは複数の第2のリソースのうちの1つから選択されたリソースを使用して送信するための手段、ウェイクアップ信号に少なくとも部分的に基づいて通信をユーザ機器(UE)に送信するための手段などを含み得る。上述の手段は、上述の手段によって列挙された機能を実行するように構成された、装置1102および/または装置1102'の処理システム1202の上述のモジュールのうちの1つまたは複数であり得る。上記で説明したように、処理システム1202は、TX MIMOプロセッサ230、受信プロセッサ238、および/またはコントローラ/プロセッサ240を含み得る。したがって、一構成では、上述の手段は、上述の手段によって列挙された機能を実行するように構成された、TX MIMOプロセッサ230、受信プロセッサ238、および/またはコントローラ/プロセッサ240であり得る。
【０１４１】
図12は一例として与えられる。他の例が可能であり、図12に関して説明したものとは異なってもよい。
【０１４２】
図13は、例示的な装置1302における異なるモジュール/手段/構成要素間のデータフローを示す概念的なデータフロー図1300である。装置1302はUEであってもよい。いくつかの態様では、装置1302は、受信モジュール1304、走査モジュール1306、識別モジュール1308、決定モジュール1310、および/または送信モジュール1312を含む。
【０１４３】
受信モジュール1304は、BS1350から信号1314を受信してもよい。いくつかの態様では、信号1314は、ウェイクアップ信号および/またはウェイクアップ信号に関連付けられた通信を含んでもよい。受信モジュール1304は、信号1314を処理してもよく、信号1314に少なくとも部分的に基づいてデータ1316を走査モジュール1306および/または決定モジュール1310に提供してもよい。
【０１４４】
走査モジュール1306は、UEグループに関連付けられたウェイクアップ信号を識別するためにリソースパターンの特定のリソースを走査することであって、リソースパターンがUEグループに関連付けられる、走査することを行ってもよく、走査したことに少なくとも部分的に基づいてデータ1318を識別モジュール1308に提供してもよい。識別モジュール1308は、セル識別子またはUEグループ識別子のうちの少なくとも1つに少なくとも部分的に基づいてウェイクアップ信号を識別することであって、少なくともセル識別子の一部分またはUEグループ識別子の一部分が、ウェイクアップ信号によって識別される、識別することを行ってもよい。
【０１４５】
決定モジュール1310は、ウェイクアップ信号の送信電力に少なくとも部分的に基づいて基準値を決定してもよく、送信電力は、装置1302によって受信される同期信号に対する電力オフセットに少なくとも部分的に基づく。
【０１４６】
送信モジュール1312は、信号1320を送信してもよい。いくつかの態様では、信号1320は、装置1302の能力を識別してもよい。
【０１４７】
装置は、図8、図10などの上述のフローチャートにおけるアルゴリズムのブロックの各々を実行する追加のモジュールを含み得る。したがって、図8、図10などの上述のフローチャートにおける各ブロックは、モジュールによって実行される場合があり、装置は、それらのモジュールのうちの1つまたは複数を含み得る。モジュールは、述べられたプロセス/アルゴリズムを実行するように特に構成され、述べられたプロセス/アルゴリズムを実行するように構成されたプロセッサによって実装され、プロセッサによる実装のためにコンピュータ可読媒体内に記憶された、1つもしくは複数のハードウェア構成要素、またはそれらの何らかの組合せであり得る。
【０１４８】
図13に示すモジュールの数および配置は、一例として与えられる。実際には、図13に示すモジュールと比べて、追加のモジュール、より少ないモジュール、異なるモジュール、または異なるように配置されたモジュールがあってもよい。さらに、図13に示す2つ以上のモジュールが単一のモジュール内で実装されてもよく、または、図13に示す単一のモジュールが複数の分散されたモジュールとして実装されてもよい。追加または代替として、図13に示すモジュールのセット(たとえば、1つまたは複数のモジュール)は、図13に示すモジュールの別のセットによって実行されるものとして説明する1つまたは複数の機能を実行してもよい。
【０１４９】
図14は、処理システム1402を採用する装置1302'のためのハードウェア実装形態の一例を示す図1400である。装置1302'はUEであってもよい。
【０１５０】
処理システム1402は、バス1404によって概略的に表されるバスアーキテクチャを用いて実装され得る。バス1404は、処理システム1402の特定の適用例および全体的な設計制約に応じて、任意の数の相互接続バスおよびブリッジを含み得る。バス1404は、プロセッサ1406、モジュール1304、1306、1308、1310、1312、およびコンピュータ可読媒体/メモリ1408によって表される、1つまたは複数のプロセッサおよび/またはハードウェアモジュールを含む様々な回路を互いにリンクさせる。バス1404はまた、タイミングソース、周辺装置、電圧調整器、および電力管理回路などの様々な他の回路をリンクさせることができるが、これらの回路は当技術分野でよく知られており、したがって、これ以上は説明しない。
【０１５１】
処理システム1402は、トランシーバ1410に結合され得る。トランシーバ1410は、1つまたは複数のアンテナ1412に結合される。トランシーバ1410は、送信媒体を介して様々な他の装置と通信するための手段を提供する。トランシーバ1410は、1つまたは複数のアンテナ1412から信号を受信し、受信された信号から情報を抽出し、抽出された情報を処理システム1402、具体的には受信モジュール1304に提供する。加えて、トランシーバ1410は、処理システム1402、具体的には送信モジュール1312から情報を受信し、受信された情報に少なくとも部分的に基づいて、1つまたは複数のアンテナ1412に印加されるべき信号を生成する。処理システム1402は、コンピュータ可読媒体/メモリ1408に結合されたプロセッサ1406を含む。プロセッサ1406は、コンピュータ可読媒体/メモリ1408上に記憶されたソフトウェアの実行を含む一般的な処理を担う。ソフトウェアは、プロセッサ1406によって実行されると、任意の特定の装置に対して、上記で説明した様々な機能を処理システム1402に実行させる。コンピュータ可読媒体/メモリ1408はまた、ソフトウェアを実行するときにプロセッサ1406によって操作されるデータを記憶するために使用されてもよい。処理システム1402は、モジュール1304、1306、1308、1310、および1312のうちの少なくとも1つをさらに含む。モジュールは、プロセッサ1406内で動作し、コンピュータ可読媒体/メモリ1408に存在する/記憶されたソフトウェアモジュールであってもよく、プロセッサ1406に結合された1つもしくは複数のハードウェアモジュールであってもよく、またはそれらの何らかの組合せであってもよい。処理システム1402は、UE120の構成要素であってもよく、メモリ282ならびに/またはTX MIMOプロセッサ266、RXプロセッサ258、および/もしくはコントローラ/プロセッサ280のうちの少なくとも1つを含んでもよい。
【０１５２】
いくつかの態様では、ワイヤレス通信のための装置1302/1302'は、装置1302/1302'を含むUEグループに関連付けられたウェイクアップ信号を識別するためにリソースパターンの特定のリソースを走査するための手段であって、リソースパターンがUEグループに関連付けられる、手段、装置1302/1302'に関連付けられたセル識別子またはUEグループ識別子のうちの少なくとも1つに少なくとも部分的に基づいてウェイクアップ信号を識別するための手段であって、少なくともセル識別子の一部分またはUEグループ識別子の一部分が、ウェイクアップ信号によって識別される、手段、ウェイクアップ信号の送信電力に少なくとも部分的に基づいて基準値を決定するための手段であって、送信電力が、装置1302/1302'によって受信される同期信号に対する電力オフセットに少なくとも部分的に基づく、手段、ウェイクアップ信号を識別したことに少なくとも部分的に基づいて、通信を受信するためにウェイクアップを実行するための手段、通信を受信するための手段、および/または、ウェイクアップ信号と最大遅延に関連付けられた時間との間の通信を走査するための手段を含む。追加または代替として、ワイヤレス通信のための装置1302/1302'は、UEに関連付けられたウェイクアップ信号を識別するためにリソースパターンの特定のリソースを走査するための手段、リソースパターンの特定のリソース上で基地局からウェイクアップ信号を受信するための手段であって、リソースパターンが、ウェイクアップ信号が送信されたアンテナポートに対応する、手段、UEに関連付けられたセル識別子に少なくとも部分的に基づいて、ウェイクアップ信号をUEに関連付けられたものとして識別するための手段であって、セル識別子の少なくとも一部分が、ウェイクアップ信号によって示される、手段などを含み得る。上述の手段は、上述の手段によって列挙された機能を実行するように構成された、装置1302および/または装置1302'の処理システム1402の上述のモジュールのうちの1つまたは複数であり得る。上記で説明したように、処理システム1402は、TX MIMOプロセッサ266、RXプロセッサ258、および/またはコントローラ/プロセッサ280を含み得る。したがって、一構成では、上述の手段は、上述の手段によって
列挙された機能を実行するように構成された、TX MIMOプロセッサ266、RXプロセッサ258、および/またはコントローラ/プロセッサ280であり得る。
【０１５３】
図14は一例として与えられる。他の例が可能であり、図14に関して説明したものとは異なってもよい。
【０１５４】
開示するプロセス/フローチャートにおけるブロックの特定の順序または階層は、例示的な手法の例示であることを理解されたい。設計選好に基づいて、プロセス/フローチャートにおけるブロックの特定の順序または階層が並べ替えられてもよいことを理解されたい。さらに、いくつかのブロックは組み合わされてもよく、または省略されてもよい。添付の方法クレームは、様々なブロックの要素を例示的な順序で提示したものであり、提示された特定の順序または階層に限定されるものではない。
【０１５５】
前述の説明は、いかなる当業者も本明細書で説明する様々な態様を実践することを可能にするために提供される。これらの態様に対する様々な修正は容易に当業者に明らかになり、本明細書で定義する一般原理は他の態様に適用され得る。したがって、特許請求の範囲は、本明細書に示された態様に限定されるものではなく、クレーム文言と一致する最も広い範囲を与えられるべきであり、単数形の要素への言及は、そのように明記されていない限り、「唯一無二の」ではなく、「1つまたは複数の」を意味するものとする。「例示的」という語は、本明細書では「例、事例、または例示として機能すること」を意味するために使用される。「例示的」として本明細書で説明するいかなる態様も、必ずしも他の態様よりも好ましいまたは有利であると解釈されるべきではない。別段に明記されていない限り、「いくつかの」という用語は、1つまたは複数を指す。「A、B、またはCのうちの少なくとも1つ」、「A、B、およびCのうちの少なくとも1つ」、および「A、B、C、またはそれらの任意の組合せ」などの組合せは、A、B、および/またはCの任意の組合せを含み、複数のA、複数のB、または複数のCを含んでもよい。具体的には、「A、B、またはCのうちの少なくとも1つ」、「A、B、およびCのうちの少なくとも1つ」、および「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCの1つまたは複数のメンバーを含んでもよい。当業者に知られているかまたは後で知られることになる、本開示全体にわたって説明する様々な態様の要素に対するすべての構造的および機能的等価物は、参照により本明細書に明確に組み込まれ、特許請求の範囲によって包含されるものとする。さらに、本明細書で開示するいかなるものも、そのような開示が特許請求の範囲において明示的に列挙されているかどうかにかかわらず、公に供されるものではない。いかなるクレーム要素も、要素が「ための手段」という句を使用して明確に列挙されていない限り、ミーンズプラスファンクションとして解釈されるべきではない。
【符号の説明】
【０１５６】
100  ネットワーク、ワイヤレスネットワーク、アクセスネットワーク
102a  マクロセル
102b  ピコセル
102c  フェムトセル
110  BS
110a  BS、マクロBS
110b  BS
110c  BS
110d  BS、中継局
120  UE
120a  UE
120b  UE
120c  UE
120d  UE
130  ネットワークコントローラ
200  ブロック図
212  データソース
220  送信プロセッサ
230  送信(TX)多入力多出力(MIMO)プロセッサ、TX MIMOプロセッサ
232  MOD、復調器
232a〜232t  変調器(MOD)、変調器
234  アンテナ
234a〜234t  アンテナ
236  MIMO検出器
238  受信プロセッサ
239  データシンク
240  コントローラ/プロセッサ
242  メモリ
244  通信ユニット
246  スケジューラ
252a〜252r  アンテナ
254  復調器、DEMOD
254a〜254r  復調器(DEMOD)、復調器、DEMOD、変調器
256  MIMO検出器
258  受信(RX)プロセッサ、受信プロセッサ
260  データシンク
262  データソース
264  送信プロセッサ
266  TX MIMOプロセッサ
280  コントローラ/プロセッサ
282  メモリ
290  コントローラ/プロセッサ
292  メモリ
294  通信ユニット
300  フレーム構造
410  サブフレームフォーマット
420  サブフレームフォーマット
505-2  第2のリソースパターン
505-3  第3のリソースパターン
510  第1のフレーム
515  第2のフレーム
600  ウェイクアップ信号送信のためのFDMパターンの一例
605  eMTC通信のためのリソース
610  eMTC通信のためのリソース
615  eMTC通信のためのリソース
620  eMTC通信のためのリソース
700  方法
800  方法
900  方法
1000  方法
1100  データフロー図
1102、1102'  装置
1104  受信モジュール、モジュール
1106  送信モジュール、モジュール
1108  信号
1110  データ
1112  信号
1150  UE
1200  図
1202  処理システム
1204  バス
1206  プロセッサ
1208  コンピュータ可読媒体/メモリ
1210  トランシーバ
1212  アンテナ
1300  データフロー図
1302、1302'  装置
1304  受信モジュール、モジュール
1306  走査モジュール、モジュール
1308  識別モジュール、モジュール
1310  決定モジュール、モジュール
1312  送信モジュール、モジュール
1314  信号
1316  データ
1318  データ
1320  信号
1350  BS
1400  図
1402  処理システム
1404  バス
1406  プロセッサ
1408  コンピュータ可読媒体/メモリ
1410  トランシーバ
1412  アンテナ
【図１】
2020535720.tif 000003
【図２】
2020535720.tif 000004
【図３】
2020535720.tif 000005
【図４】
2020535720.tif 000006
【図５Ａ】
2020535720.tif 000007
【図５Ｂ】
2020535720.tif 000008
【図５Ｃ】
2020535720.tif 000009
【図６】
2020535720.tif 000010
【図７】
2020535720.tif 000011
【図８】
2020535720.tif 000012
【図９】
2020535720.tif 000013
【図１０】
2020535720.tif 000014
【図１１】
2020535720.tif 000015
【図１２】
2020535720.tif 000016
【図１３】
2020535720.tif 000017
【図１４】
2020535720.tif 000018
【国際調査報告】
2020535720.tif 000019
2020535720.tif 000020
2020535720.tif 000021
2020535720.tif 000022
2020535720.tif 000023